(57)【特許請求の範囲】
【請求項１】
マルチビームの１つのビームあたりの試料の単位照射領域毎に、１回のショットあたりの最大照射時間のショットが分割された、同じ単位照射領域に連続して行われる複数の分割ショットの各分割ショットを前記マルチビームの一括偏向により切り替え可能な複数のビームの少なくとも１つに割り振る工程と、
単位照射領域毎に、当該単位照射領域に照射されるビームの照射時間を演算する工程と、
単位照射領域毎に合計照射時間が演算された前記ビームの照射時間に相当する組合せになるように前記複数の分割ショットの各分割ショットをビームＯＮにするか、ビームＯＦＦにするかを決定する工程と、
前記マルチビームの一括偏向により前記複数のビームを切り替えながら、当該単位照射領域に、同じ単位照射領域に連続して行われる前記複数の分割ショットのうちビームＯＮになる複数の対応分割ショットを前記複数のビームを用いて行う工程と、
を備え、
各ビームの照射量誤差を補正するように、ビームＯＮになる前記複数の対応分割ショットが決定されることを特徴とするマルチ荷電粒子ビームの描画方法。
【請求項２】
割り振られたビーム間で当該単位照射領域に照射される照射時間の合計が均一に近づくように、前記複数の分割ショットの各分割ショットは前記複数のビームの少なくとも１つに割り振られることを特徴とする請求項１記載のマルチ荷電粒子ビームの描画方法。
【請求項３】
前記複数の分割ショットの少なくとも１つの分割ショットが複数のサブ分割ショットに分割され、
前記複数のサブ分割ショットの各サブ分割ショットと、サブ分割ショットに分割されなかった残りの分割ショットとが前記複数のビームのいずれかに割り振られることを特徴とする請求項１記載のマルチ荷電粒子ビームの描画方法。
【請求項４】
前記マルチビームを形成する複数の開口部の開口面積誤差に起因する各ビームの照射量誤差を補正するように、ビームＯＮになる前記複数の対応分割ショットが決定されることを特徴とする請求項１〜３いずれか記載のマルチ荷電粒子ビームの描画方法。
【請求項５】
マルチビームの１つのビームあたりの試料の単位照射領域毎に、１回のショットあたりの最大照射時間のショットが分割された、同じ単位照射領域に連続して行われる複数の分割ショットの各分割ショットを前記マルチビームの一括偏向により切り替え可能な複数のビームの少なくとも１つに割り振る割振部と、
単位照射領域毎に、当該単位照射領域に照射されるビームの照射時間を演算する照射時間演算部と、
単位照射領域毎に合計照射時間が演算された前記ビームの照射時間に相当する組合せになるように前記複数の分割ショットの各分割ショットをビームＯＮにするか、ビームＯＦＦにするかを決定する決定部と、
前記マルチビームの一括偏向により前記複数のビームを切り替えながら、当該単位照射領域に、同じ単位照射領域に連続して行われる前記複数の分割ショットのうちビームＯＮになる複数の対応分割ショットを前記複数のビームを用いて行うように、前記マルチビームを用いて前記試料にパターンを描画する描画部と、
を備え、
各ビームの照射量誤差を補正するように、ビームＯＮになる前記複数の対応分割ショットが決定されることを特徴とするマルチ荷電粒子ビーム描画装置。
【発明の詳細な説明】
【技術分野】
【０００１】
本発明は、マルチ荷電粒子ビーム描画方法及びマルチ荷電粒子ビーム描画装置に係り、例えば、マルチビーム描画におけるビーム照射方法に関する。
【背景技術】
【０００２】
半導体デバイスの微細化の進展を担うリソグラフィ技術は半導体製造プロセスのなかでも唯一パターンを生成する極めて重要なプロセスである。近年、ＬＳＩの高集積化に伴い、半導体デバイスに要求される回路線幅は年々微細化されてきている。ここで、電子線（電子ビーム）描画技術は本質的に優れた解像性を有しており、ウェハ等へ電子線を使って描画することが行われている。
【０００３】
例えば、マルチビームを使った描画装置がある。１本の電子ビームで描画する場合に比べて、マルチビームを用いることで一度に多くのビームを照射できるのでスループットを大幅に向上させることができる。かかるマルチビーム方式の描画装置では、例えば、電子銃から放出された電子ビームを複数の穴を持ったマスクに通してマルチビームを形成し、各々、ブランキング制御され、遮蔽されなかった各ビームが光学系で縮小され、偏向器で偏向され試料上の所望の位置へと照射される。
【０００４】
マルチビーム描画では、個々のビームの照射量を照射時間により個別に制御する。かかるマルチビーム描画では、同一位置を照射する必要照射時間分のショットを複数回の照射ステップに分割して、各照射ステップを同じビームで連続して試料に照射するといった手法が提案されている（例えば、特許文献１参照）。
【０００５】
ここで、マルチビーム描画では、加工精度の限界により、マルチビームを成形するマスクの複数の穴の開口径（アパーチャ径）に加工誤差が生じてしまう。そのため、かかる穴を通過することによって成形されるビーム径に誤差が生じる。よって、ビーム電流量に誤差が生じる。その結果、かかるビームが照射するドーズ量にも誤差が生じる。同じ穴を通過した複数のビームで連続して試料に照射しても、ドーズ量誤差を低減することは困難である。
【先行技術文献】
【特許文献】
【０００６】
【特許文献１】特開２０１５−００２１８９号公報
【発明の概要】
【発明が解決しようとする課題】
【０００７】
そこで、本発明は、マルチビームを成形するアパーチャ径誤差に起因するドーズ量誤差を低減することが可能なマルチビーム描画方法およびその装置を提供する。
【課題を解決するための手段】
【０００８】
本発明の一態様のマルチ荷電粒子ビームの描画方法は、
マルチビームの１つのビームあたりの試料の単位照射領域毎に、１回のショットあたりの最大照射時間のショットが分割された、同じ単位照射領域に連続して行われる複数の分割ショットの各分割ショットをマルチビームの一括偏向により切り替え可能な複数のビームの少なくとも１つに割り振る工程と、
単位照射領域毎に、当該単位照射領域に照射されるビームの照射時間を演算する工程と、
単位照射領域毎に合計照射時間が演算されたビームの照射時間に相当する組合せになるように複数の分割ショットの各分割ショットをビームＯＮにするか、ビームＯＦＦにするかを決定する工程と、
マルチビームの一括偏向により複数のビームを切り替えながら、当該単位照射領域に、同じ単位照射領域に連続して行われる複数の分割ショットのうちビームＯＮになる複数の対応分割ショットを複数のビームを用いて行う工程と、
を備え、
各ビームの照射量誤差を補正するように、ビームＯＮになる前記複数の対応分割ショットが決定されることを特徴とする。
【０００９】
また、割り振られたビーム間で当該単位照射領域に照射される照射時間の合計が均一に近づくように、複数の分割ショットの各分割ショットは複数のビームのいずれかに割り振られると好適である。
【００１０】
また、複数の分割ショットの少なくとも１つの分割ショットが複数のサブ分割ショットに分割され、
複数のサブ分割ショットの各サブ分割ショットと、サブ分割ショットに分割されなかった残りの分割ショットとが複数のビームのいずれかに割り振られると好適である。
【００１１】
また、マルチビームを形成する複数の開口部の開口面積誤差に起因する各ビームの照射量誤差を補正するように、ビームＯＮになる複数の対応分割ショットが決定されると好適である。
【００１２】
本発明の一態様のマルチ荷電粒子ビーム描画装置は、
マルチビームの１つのビームあたりの試料の単位照射領域毎に、１回のショットあたりの最大照射時間のショットが分割された、同じ単位照射領域に連続して行われる複数の分割ショットの各分割ショットをマルチビームの一括偏向により切り替え可能な複数のビームの少なくとも１つに割り振る割振部と、
単位照射領域毎に、当該単位照射領域に照射されるビームの照射時間を演算する照射時間演算部と、
単位照射領域毎に合計照射時間が演算されたビームの照射時間に相当する組合せになるように複数の分割ショットの各分割ショットをビームＯＮにするか、ビームＯＦＦにするかを決定する決定部と、
マルチビームの一括偏向により複数のビームを切り替えながら、当該単位照射領域に、同じ単位照射領域に連続して行われる複数の分割ショットのうちビームＯＮになる複数の対応分割ショットを複数のビームを用いて行うように、マルチビームを用いて試料にパターンを描画する描画部と、
を備え、
各ビームの照射量誤差を補正するように、ビームＯＮになる前記複数の対応分割ショットが決定されることを特徴とする。
【発明の効果】
【００１３】
本発明の一態様によれば、マルチビームを成形するアパーチャ径誤差に起因するドーズ量誤差を低減できる。
【図面の簡単な説明】
【００１４】
【図１】実施の形態１における描画装置の構成を示す概念図である。
【図２】実施の形態１における成形アパーチャアレイ部材の構成を示す概念図である。
【図３】実施の形態１におけるブランキングアパーチャアレイ部の一部を示す上面概念図である。
【図４】実施の形態１における描画動作の一例を説明するための概念図である。
【図５】実施の形態１におけるマルチビームの照射領域と描画対象画素との一例を示す図である。
【図６】実施の形態１におけるマルチビームの描画方法の一例を説明するための図である。
【図７】実施の形態１における個別ブランキング制御回路と共通ブランキング制御回路の内部構成を示す概念図である。
【図８】実施の形態１における描画方法の要部工程を示すフローチャート図である。
【図９】実施の形態１における複数の分割ショットの途中でのビーム切り替えを説明するための図である。
【図１０】実施の形態１における複数の分割ショットとビームの割振りの一例を示す図である。
【図１１】実施の形態１における分割ショットのＯＮ／ＯＦＦ決定方法の工程を示すフローチャート図である。
【図１２】実施の形態１における照射時間配列データの一部の一例を示す図である。
【図１３】実施の形態１における１ショット中の複数の分割ショットの一部についてのビームＯＮ／ＯＦＦ切り替え動作を示すタイミングチャート図である。
【図１４】実施の形態１におけるブランキング動作を説明するための概念図である。
【図１５】実施の形態１における描画方法の変形例の要部工程を示すフローチャート図である。
【図１６】実施の形態１における分割ショットのＯＮ／ＯＦＦ決定方法の変形例の工程を示すフローチャート図である。
【図１７】実施の形態２の比較例における複数の分割ショットとビームの割振りの一例を示す図である。
【図１８】実施の形態２における複数の分割ショットとビームの割振りの一例を示す図である。
【図１９】実施の形態３における複数の分割ショットの途中でのビーム切り替えを説明するための図である。
【図２０】実施の形態３における複数の分割ショットとビームの割振りの一例を示す図である。
【図２１】各実施の形態の比較例における露光シーケンスの一例を示す図である。
【図２２】各実施の形態を比較した露光シーケンスの一例を示す図である。
【図２３】実施の形態１における２つのビーム切り替えにより描画した場合の各ビーム露光時間を比較した一例を示す図である。
【図２４】実施の形態１の変形例において３つのビーム切り替えにより描画した場合の各ビーム露光時間を比較した一例を示す図である。
【発明を実施するための形態】
【００１５】
以下、実施の形態では、荷電粒子ビームの一例として、電子ビームを用いた構成について説明する。但し、荷電粒子ビームは、電子ビームに限るものではなく、イオンビーム等の荷電粒子を用いたビームでも構わない。
【００１６】
実施の形態１．
図１は、実施の形態１における描画装置の構成を示す概念図である。図１において、描画装置１００は、描画部１５０と制御部１６０を備えている。描画装置１００は、マルチ荷電粒子ビーム描画装置の一例である。描画部１５０は、電子鏡筒１０２と描画室１０３を備えている。電子鏡筒１０２内には、電子銃２０１、照明レンズ２０２、成形アパーチャアレイ部材２０３、ブランキングアパーチャアレイ部２０４、縮小レンズ２０５、共通ブランキング用の偏向器２１２、制限アパーチャ部材２０６、対物レンズ２０７、及び偏向器２０８，２０９が配置されている。描画室１０３内には、ＸＹステージ１０５が配置される。ＸＹステージ１０５上には、描画時には描画対象基板となるマスク等の試料１０１が配置される。試料１０１には、半導体装置を製造する際の露光用マスク、或いは、半導体装置が製造される半導体基板（シリコンウェハ）等が含まれる。また、試料１０１には、レジストが塗布された、まだ何も描画されていないマスクブランクスが含まれる。ＸＹステージ１０５上には、さらに、ＸＹステージ１０５の位置測定用のミラー２１０が配置される。
【００１７】
制御部１６０は、制御計算機１１０、メモリ１１２、偏向制御回路１３０、ロジック回路１３１、デジタル・アナログ変換（ＤＡＣ）アンプユニット１３２，１３４、ステージ制御部１３８、ステージ位置測定部１３９及び磁気ディスク装置等の記憶装置１４０，１４２を有している。制御計算機１１０、メモリ１１２、偏向制御回路１３０、ステージ制御部１３８、ステージ位置測定部１３９及び記憶装置１４０，１４２は、図示しないバスを介して互いに接続されている。記憶装置１４０（記憶部）には、描画データが描画装置１００の外部から入力され、格納されている。偏向制御回路１３０には、ロジック回路１３１、ＤＡＣアンプユニット１３２，１３４及びブランキングアパーチャアレイ部２０４が図示しないバスを介して接続されている。また、ロジック回路１３１は、偏向器２１２に接続される。ステージ位置測定部１３９は、レーザ光をＸＹステージ１０５上のミラー２１０に照射し、ミラー２１０からの反射光を受光する。そして、かかる反射光の情報を利用してＸＹステージ１０５の位置を測定する。
【００１８】
制御計算機１１０内には、パターン面積密度ρ演算部６０、近接効果補正照射係数Ｄｐ演算部６２、画素内パターン面積密度ρ’演算部６４、照射量Ｄ演算部６６、照射時間ｔ演算部６８、配列加工部７０、特定部７２、特定部７４、割振部７６、ソート処理部７８、階調値Ｎ算出部８６、決定部８８、データ生成部９０、判定部９２、ビームシフト処理部９４、判定部９６、加算部９８、転送処理部８２、及び描画制御部８４が配置されている。パターン面積密度ρ演算部６０、近接効果補正照射係数Ｄｐ演算部６２、画素内パターン面積密度ρ’演算部６４、照射量Ｄ演算部６６、照射時間ｔ演算部６８、配列加工部７０、特定部７２、特定部７４、割振部７６、ソート処理部７８、階調値Ｎ算出部８６、決定部８８、データ生成部９０、判定部９２、ビームシフト処理部９４、判定部９６、加算部９８、転送処理部８２、及び描画制御部８４といった一連の「〜部」は、少なくとも１つの電気回路、少なくとも１つのコンピュータ、少なくとも１つのプロセッサ、少なくとも１つの回路基板、或いは、少なくとも１つの半導体装置等といった、少なくとも１つの回路で構成され、実行される。パターン面積密度ρ演算部６０、近接効果補正照射係数Ｄｐ演算部６２、画素内パターン面積密度ρ’演算部６４、照射量Ｄ演算部６６、照射時間ｔ演算部６８、配列加工部７０、特定部７２、特定部７４、割振部７６、ソート処理部７８、階調値Ｎ算出部８６、決定部８８、データ生成部９０、判定部９２、ビームシフト処理部９４、判定部９６、加算部９８、転送処理部８２、及び描画制御部８４に入出力される情報および演算中の情報はメモリ１１２にその都度格納される。
【００１９】
ここで、図１では、実施の形態１を説明する上で必要な構成を記載している。描画装置１００にとって、通常、必要なその他の構成を備えていても構わない。
【００２０】
図２は、実施の形態１における成形アパーチャアレイ部材の構成を示す概念図である。図２において、成形アパーチャアレイ部材２０３には、縦（ｙ方向）ｍ列×横（ｘ方向）ｎ列（ｍ，ｎ≧２）の穴（開口部）２２が所定の配列ピッチでマトリクス状に形成されている。図２では、例えば、縦横（ｘ，ｙ方向）に５１２×５１２列の穴２２が形成される。各穴２２は、共に同じ寸法形状の矩形で形成される。或いは、同じ外径の円形であっても構わない。これらの複数の穴２２を電子ビーム２００の一部がそれぞれ通過することで、マルチビーム２０が形成されることになる。ここでは、縦横（ｘ，ｙ方向）が共に２列以上の穴２２が配置された例を示したが、これに限るものではない。例えば、縦横（ｘ，ｙ方向）どちらか一方が複数列で他方は１列だけであっても構わない。また、穴２２の配列の仕方は、図２のように、縦横が格子状に配置される場合に限るものではない。例えば、縦方向（ｙ方向）ｋ段目の列と、ｋ＋１段目の列の穴同士が、横方向（ｘ方向）に寸法ａだけずれて配置されてもよい。同様に、縦方向（ｙ方向）ｋ＋１段目の列と、ｋ＋２段目の列の穴同士が、横方向（ｘ方向）に寸法ｂだけずれて配置されてもよい。
【００２１】
図３は、実施の形態１におけるブランキングアパーチャアレイ部の一部を示す上面概念図である。なお、図３において、電極２４，２６と制御回路４１の位置関係は一致させて記載していない。ブランキングアパーチャアレイ部２０４は、図３に示すように、図２に示した成形アパーチャアレイ部材２０３の各穴２２に対応する位置にマルチビームのそれぞれのビームの通過用の通過孔２５（開口部）が開口される。そして、各通過孔２５の近傍位置に、該当する通過孔２５を挟んでブランキング偏向用の電極２４，２６の組（ブランカー：ブランキング偏向器）がそれぞれ配置される。また、各通過孔２５の近傍には、各通過孔２５用の例えば電極２４に偏向電圧を印加する制御回路４１（ロジック回路）が配置される。各ビーム用の２つの電極２４，２６の他方（例えば、電極２６）は、接地される。また、各制御回路４１は、制御信号用の例えば１ビットの配線が接続される。各制御回路４１は、例えば１ビットの配線の他、クロック信号線および電源用の配線等が接続される。マルチビームを構成するそれぞれのビーム毎に、電極２４，２６と制御回路４１とによる個別ブランキング機構４７が構成される。偏向制御回路１３０から各制御回路４１用の制御信号が出力される。各制御回路４１内には、後述するシフトレジストが配置され、例えば、ｎ×ｍ本のマルチビームの１列分の制御回路内のシフトレジスタが直列に接続される。そして、例えば、ｎ×ｍ本のマルチビームの１列分の制御信号がシリーズで送信され、例えば、ｎ回のクロック信号によって各ビームの制御信号が対応する制御回路４１に格納される。
【００２２】
各通過孔を通過する電子ビーム２０は、それぞれ独立に対となる２つの電極２４，２６に印加される電圧によって偏向される。かかる偏向によってブランキング制御される。マルチビームのうちの対応ビームをそれぞれブランキング偏向する。このように、複数のブランカーが、成形アパーチャアレイ部材２０３の複数の穴２２（開口部）を通過したマルチビームのうち、それぞれ対応するビームのブランキング偏向を行う。
【００２３】
図４は、実施の形態１における描画動作の一例を説明するための概念図である。図４に示すように、試料１０１の描画領域３０は、例えば、ｙ方向に向かって所定の幅で短冊状の複数のストライプ領域３２に仮想分割される。まず、ＸＹステージ１０５を移動させて、第１番目のストライプ領域３２の左端、或いはさらに左側の位置に一回のマルチビーム２０の照射で照射可能な照射領域３４が位置するように調整し、描画が開始される。第１番目のストライプ領域３２を描画する際には、ＸＹステージ１０５を例えば−ｘ方向に移動させることにより、相対的にｘ方向へと描画を進めていく。ＸＹステージ１０５は例えば等速で連続移動させる。第１番目のストライプ領域３２の描画終了後、ステージ位置を−ｙ方向に移動させて、第２番目のストライプ領域３２の右端、或いはさらに右側の位置に照射領域３４が相対的にｙ方向に位置するように調整し、今度は、ＸＹステージ１０５を例えばｘ方向に移動させることにより、−ｘ方向に向かって同様に描画を行う。第３番目のストライプ領域３２では、ｘ方向に向かって描画し、第４番目のストライプ領域３２では、−ｘ方向に向かって描画するといったように、交互に向きを変えながら描画することで描画時間を短縮できる。但し、かかる交互に向きを変えながら描画する場合に限らず、各ストライプ領域３２を描画する際、同じ方向に向かって描画を進めるようにしても構わない。１回のショット（後述する分割ショットの合計）では、成形アパーチャアレイ部材２０３の各穴２２を通過することによって形成されたマルチビームによって、最大で各穴２２と同数の複数のショットパターンが一度に形成される。
【００２４】
図５は、実施の形態１におけるマルチビームの照射領域と描画対象画素との一例を示す図である。図５において、ストライプ領域３２は、例えば、マルチビームのビームサイズでメッシュ状の複数のメッシュ領域に分割される。かかる各メッシュ領域が、描画対象画素３６（単位照射領域、或いは描画位置）となる。描画対象画素３６のサイズは、ビームサイズに限定されるものではなく、ビームサイズとは関係なく任意の大きさで構成されるものでも構わない。例えば、ビームサイズの１／ｎ（ｎは１以上の整数）のサイズで構成されても構わない。図５の例では、試料１０１の描画領域が、例えばｙ方向に、１回のマルチビーム２０の照射で照射可能な照射領域３４（描画フィールド）のサイズと実質同じ幅サイズで複数のストライプ領域３２に分割された場合を示している。なお、ストライプ領域３２の幅は、これに限るものではない。照射領域３４のｎ倍（ｎは１以上の整数）のサイズであると好適である。図５の例では、５１２×５１２列のマルチビームの場合を示している。そして、照射領域３４内に、１回のマルチビーム２０の照射で照射可能な複数の画素２８（ビームの描画位置）が示されている。言い換えれば、隣り合う画素２８間のピッチがマルチビームの各ビーム間のピッチとなる。図５の例では、隣り合う４つの画素２８で囲まれると共に、４つの画素２８のうちの１つの画素２８を含む正方形の領域で１つのグリッド２９を構成する。図５の例では、各グリッド２９は、４×４画素で構成される場合を示している。
【００２５】
図６は、実施の形態１におけるマルチビームの描画方法の一例を説明するための図である。図６では、図５で示したストライプ領域３２を描画するマルチビームのうち、ｙ方向３段目の座標（１，３），（２，３），（３，３），・・・，（５１２，３）の各ビームで描画するグリッドの一部を示している。図６の例では、例えば、ＸＹステージ１０５が８ビームピッチ分の距離を移動する間に４つの画素を描画（露光）する場合を示している。かかる４つの画素を描画（露光）する間、照射領域３４がＸＹステージ１０５の移動によって試料１０１との相対位置がずれないように、偏向器２０８によってマルチビーム２０全体を一括偏向することによって、照射領域３４をＸＹステージ１０５の移動に追従させる。言い換えれば、トラッキング制御が行われる。図６の例では、８ビームピッチ分の距離を移動する間に４つの画素を描画（露光）することで１回のトラッキングサイクルを実施する場合を示している。
【００２６】
具体的には、ステージ位置検出器１３９が、ミラー２１０にレーザを照射して、ミラー２１０から反射光を受光することでＸＹステージ１０５の位置を測長する。測長されたＸＹステージ１０５の位置は、制御計算機１１０に出力される。制御計算機１１０内では、描画制御部８４がかかるＸＹステージ１０５の位置情報を偏向制御回路１３０に出力する。偏向制御回路１３０内では、ＸＹステージ１０５の移動に合わせて、ＸＹステージ１０５の移動に追従するようにビーム偏向するための偏向量データ（トラッキング偏向データ）を演算する。デジタル信号であるトラッキング偏向データは、ＤＡＣアンプ１３４に出力され、ＤＡＣアンプ１３４は、デジタル信号をアナログ信号に変換の上、増幅して、トラッキング偏向電圧として偏向器２０８に印加する。
【００２７】
そして、描画部１５０は、当該ショット（後述する分割ショット合計）におけるマルチビームの各ビームのそれぞれの照射時間のうちの最大描画時間Ｔｔｒ内のそれぞれの画素３６に対応する描画時間、各画素３６にマルチビーム２０のうちＯＮビームのそれぞれ対応するビームを照射する。実施の形態１では、１回分のショットを後述する複数の分割ショットに分けて、１回分のショットの動作中に、かかる複数の分割ショットを行う。さらに、実施の形態１では、各画素３６に、かかる複数の分割ショットを行う際、途中で、ビームを切り替えて残りの分割ショットを行う。まずは、複数の分割ショットを１回分のショットと見立てて、各ショットの動作を次に説明する。
【００２８】
図６の例では、座標（１，３）のビーム（１）（基準ビーム）と後述する切り替えビームとによって、時刻ｔ＝０からｔ＝最大描画時間Ｔｔｒまでの間に注目グリッド２９の例えば最下段右から１番目の画素に１ショット目の複数の分割ショットのビームの照射が行われる。例えば、複数の分割ショットの前半の分割ショットはビーム（１）で照射し、途中でビームが切り替わり、残りの分割ショットは切り替えビームによりビーム照射が行われる。或いは、複数の分割ショットの前半の分割ショットは切り替えビームで照射し、途中でビームが切り替わり、残りの分割ショットはビーム（１）によりビーム照射が行われる。図６では、切り替え後の状態は省略している。時刻ｔ＝０からｔ＝Ｔｔｒまでの間にＸＹステージ１０５は例えば２ビームピッチ分だけ−ｘ方向に移動する。その間、トラッキング動作は継続している。
【００２９】
当該ショットのビーム照射開始から当該ショットの最大描画時間Ｔｔｒが経過後、偏向器２０８によってトラッキング制御のためのビーム偏向を継続しながら、トラッキング制御のためのビーム偏向とは別に、偏向器２０９によってマルチビーム２０を一括して偏向することによって各ビームの描画位置（前回の描画位置）を次の各ビームの描画位置（今回の描画位置）にシフトする。図６の例では、時刻ｔ＝Ｔｔｒになった時点で、注目グリッド２９の最下段右から１番目の画素から下から２段目かつ右から１番目の画素へと描画対象画素をシフトする。その間にもＸＹステージ１０５は定速移動しているのでトラッキング動作は継続している。
【００３０】
そして、トラッキング制御を継続しながら、シフトされた各ビームの描画位置に当該ショットの最大描画時間Ｔｔｒ内のそれぞれ対応する描画時間、マルチビーム２０のうちＯＮビームのそれぞれ対応するビームを照射する。図６の例では、座標（１，３）のビーム（１）と後述する切り替えビームとによって、時刻ｔ＝Ｔｔｒからｔ＝２Ｔｔｒまでの間に注目グリッド２９の例えば下から２段目かつ右から１番目の画素に２ショット目のビームの照射が行われる。時刻ｔ＝Ｔｔｒからｔ＝２Ｔｔｒまでの間にＸＹステージ１０５は例えば２ビームピッチ分だけ−ｘ方向に移動する。その間、トラッキング動作は継続している。
【００３１】
図６の例では、時刻ｔ＝２Ｔｔｒになった時点で、注目グリッド２９の下から２段目かつ右から１番目の画素から下から３段目かつ右から１番目の画素へと偏向器２０９によるマルチビームの一括偏向により描画対象画素をシフトする。その間にもＸＹステージ１０５は移動しているのでトラッキング動作は継続している。そして、座標（１，３）のビーム（１）と切り替えビームとによって、時刻ｔ＝２Ｔｔｒからｔ＝３Ｔｔｒまでの間に注目グリッド２９の例えば下から３段目かつ右から１番目の画素に３ショット目のビームの照射が行われる。時刻ｔ＝２Ｔｔｒからｔ＝３Ｔｔｒまでの間にＸＹステージ１０５は例えば２ビームピッチ分だけ−ｘ方向に移動する。その間、トラッキング動作は継続している。時刻ｔ＝３Ｔｔｒになった時点で、注目グリッド２９の下から３段目かつ右から１番目の画素から下から４段目かつ右から１番目の画素へと偏向器２０９によるマルチビームの一括偏向により描画対象画素をシフトする。その間にもＸＹステージ１０５は移動しているのでトラッキング動作は継続している。そして、座標（１，３）のビーム（１）と切り替えビームとによって、時刻ｔ＝３Ｔｔｒからｔ＝４Ｔｔｒまでの間に注目グリッド２９の例えば下から４段目かつ右から１番目の画素に４ショット目のビームの照射が行われる。時刻ｔ＝３Ｔｔｒからｔ＝４Ｔｔｒまでの間にＸＹステージ１０５は例えば２ビームピッチ分だけ−ｘ方向に移動する。その間、トラッキング動作は継続している。以上により、注目グリッド２９の右から１番目の画素列の描画が終了する。
【００３２】
図６の例では初回位置から３回シフトされた後の各ビームの描画位置にビームを切り替えながらそれぞれ対応するビームを照射した後、ＤＡＣアンプユニット１３４は、トラッキング制御用のビーム偏向をリセットすることによって、トラッキング位置をトラッキング制御が開始されたトラッキング開始位置に戻す。言い換えれば、トラッキング位置をステージ移動方向と逆方向に戻す。図６の例では、時刻ｔ＝４Ｔｔｒになった時点で、注目グリッド２９のトランキングを解除して、ｘ方向に８ビームピッチ分ずれた注目グリッドにビームを振り戻す。なお、図６の例では、座標（１，３）のビーム（１）について説明したが、その他の座標のビームについてもそれぞれの対応するグリッドに対して同様に描画が行われる。すなわち、座標（ｎ，ｍ）のビームは、ｔ＝４Ｔｔｒの時点で対応するグリッドに対して右から１番目の画素列の描画が終了する。例えば、座標（２，３）のビーム（２）は、図６のビーム（１）用の注目グリッド２９の−ｘ方向に隣り合うグリッドに対して右から１番目の画素列の描画が終了する。
【００３３】
なお、各グリッドの右から１番目の画素列の描画は終了しているので、トラッキングリセットした後に、次回のトラッキングサイクルにおいてまず偏向器２０９は、各グリッドの下から１段目かつ右から２番目の画素にそれぞれ対応するビームの描画位置を合わせる（シフトする）ように偏向する。
【００３４】
以上のように同じトラッキングサイクル中は偏向器２０８によって照射領域３４を試料１０１に対して相対位置が同じ位置になるように制御された状態で、偏向器２０９によって１画素ずつシフトさせながら各ショット（複数の分割ショット）を行う。そして、トラッキングサイクルが１サイクル終了後、照射領域３４のトラッキング位置を戻してから、図４の下段に示すように、例えば１画素ずれた位置に１回目のショット位置を合わせ、次のトラッキング制御を行いながら偏向器２０９によって１画素ずつシフトさせながら各ショットを行う。ストライプ領域３２の描画中、かかる動作を繰り返すことで、照射領域３４ａ〜３４ｏといった具合に順次照射領域３４の位置が移動していき、当該ストライプ領域の描画を行っていく。
【００３５】
図７は、実施の形態１における個別ブランキング制御回路と共通ブランキング制御回路の内部構成を示す概念図である。図７において、描画装置１００本体内のブランキングアパーチャアレイ部２０４に配置された個別ブランキング制御用の各ロジック回路４１には、シフトレジスタ４０、レジスタ４２、ＡＮＤ演算器４４、及びアンプ４６が配置される。なお、ＡＮＤ演算器４４については、省略しても構わない。実施の形態１では、従来、例えば、１０ビットの制御信号によって制御されていた各ビーム用の個別ブランキング制御を、例えば１ビットの制御信号によって制御する。すなわち、シフトレジスタ４０、レジスタ４２、及びＡＮＤ演算器４４には、１ビットの制御信号が入出力される。制御信号の情報量が少ないことにより、制御回路の設置面積を小さくできる。言い換えれば、設置スペースが狭いブランキングアパーチャアレイ部２０４上にロジック回路を配置する場合でも、より小さいビームピッチでより多くのビームを配置できる。これはブランキングアパーチャアレイ部２０４を透過する電流量を増加させ、すなわち描画スループットを向上することができる。
【００３６】
また、共通ブランキング用の偏向器２１２には、アンプが配置され、ロジック回路１３１には、レジスタ５０、及びカウンタ５２が配置される。こちらは、同時に複数の異なる制御を行うわけではなく、ＯＮ／ＯＦＦ制御を行う１回路で済むため、高速に応答させるための回路を配置する場合でも設置スペース、回路の使用電流の制限の問題が生じない。よってこのアンプはブランキングアパーチャ上に実現できるアンプよりも格段に高速で動作する。このアンプは例えば、１０ビットの制御信号によって制御する。すなわち、レジスタ５０、及びカウンタ５２には、例えば１０ビットの制御信号が入出力される。
【００３７】
実施の形態１では、上述した個別ブランキング制御用の各ロジック回路４１によるビームＯＮ／ＯＦＦ制御と、マルチビーム全体を一括してブランキング制御する共通ブランキング制御用のロジック回路１３１によるビームＯＮ／ＯＦＦ制御との両方を用いて、各ビームのブランキング制御を行う。
【００３８】
図８は、実施の形態１における描画方法の要部工程を示すフローチャート図である。図８において、実施の形態１における描画方法は、１回分のショット毎に、画素毎の基準ビーム特定工程（Ｓ１０２）と、切り替えビーム特定工程（Ｓ１０４）と、分割ショット割振り工程（Ｓ１０６）と、ソート処理工程（Ｓ１０８）と、照射時間演算工程（Ｓ１１０）と、階調値Ｎ算出工程（Ｓ１１２）と、分割ショットＯＮ／ＯＦＦ決定工程（Ｓ１１４）と、照射時間配列データ生成工程（Ｓ１１６）と、照射時間配列データ加工工程（Ｓ１１８）と、ｋ番目データ転送工程（Ｓ１２２）と、判定工程（Ｓ１２４）と、ビーム切り替え工程（Ｓ１２６）と、ｋ番目分割ショット工程（Ｓ１２８）と、判定工程（Ｓ１３０）と、加算工程（Ｓ１３２）と、いう一連の工程を実施する。
【００３９】
画素毎の基準ビーム特定工程（Ｓ１０２）として、特定部７２は、画素３６毎に、当該画素にビームを照射する基準ビームを特定する。マルチビーム描画では、図４〜図６において説明したように、画素をずらしながらトラッキングサイクルを繰り返すことによりストライプ領域３０の描画を進めていく。どの画素３６をマルチビームのうちのどのビームが担当するかは描画シーケンスによって定まる。特定部７０は、画素３６毎に、描画シーケンスによって定まった当該画素３６のビームを基準ビームとして特定する。図６の例では、例えば、座標（１，３）のビーム（１）が、当該ショット（複数の分割ショット）における注目グリッド２９の最下段右から１番目の画素の基準ビームとして特定されることになる。
【００４０】
切り替えビーム特定工程（Ｓ１０４）として、特定部７４は、画素３６毎に、マルチビームの一括偏向により切り替え可能なビームを当該画素にビームを照射する切り替えビームとして特定する。
【００４１】
図９は、実施の形態１における複数の分割ショットの途中でのビーム切り替えを説明するための図である。図９（ａ）の例では、５×５のマルチビーム２０を用いて、試料にマルチビーム２０をショットする場合の一例を示している。例えば、注目グリッド２９の最上段左から１番目の画素３６をマルチビーム２０のうちのビームａが基準ビームとして担当する場合を示している。ビームａは、一度に照射可能な照射領域３４を照射する５×５のマルチビーム２０の上から２段目左から２列目のビームを示す。複数の分割ショットのうち、例えば、１番目の分割ショット〜８番目の分割ショットをビームａが担当して行った後、５×５のマルチビーム２０を偏向器２０９により１ビームピッチ分だけ図９（ａ）が示す上方へ一括偏向によりビーム照射位置をシフトする。これにより、図９（ｂ）に示すように、注目グリッド２９の最上段左から１番目の画素３６は、ビームａからビームｂに切り替わる。そして、複数の分割ショットのうち、残りの分割ショットをビームｂが担当する。これにより、注目グリッド２９の最上段左から１番目の画素３６は、ビームａとビームｂの２つのビームによって多重露光されることになる。ビームａを成形する成形アパーチャアレイ部材２０３の穴２２（アパーチャ）の径が設計値に対して加工誤差が生じていた場合でも、ビームｂを重ねて照射することで、ビーム電流量の誤差を平均化することができる。その結果、当該画素へのドーズ量誤差を低減できる。例えば、ビームａとビームｂの２つのビームで照射することで、ビームａだけで照射する場合に比べてかかる画素３６に照射されるビーム電流のばらつきの統計誤差を低減できる。例えば、２つのビーム間で照射時間が同じにできれば、ビーム電流のばらつきの統計誤差を１／２（１／２）倍に低減できる。図９では、基準ビーム（ビームａ）が先に分割ショットを行う場合を説明したが、後述するように切り替えビーム（ビームｂ）が先に分割ショットを行っても構わない。図９（ｂ）のように照射領域３４から外れたビームは、上方に隣接するストライプ内の画素の露光に用いることができる。このため、各ストライプの始点、終点のＸ座標とストライプ内の画素の露光順を同一にする必要がある。または、照射領域は３４より小さな照射領域３４’を定義し、ストライプ３０の高さを照射領域３４’の高さと同じに設定してもよい。こうすると図８の処理を含めた描画処理をストライプ毎に完結できるため好適である。なおこの場合図９（ｂ）のように照射領域３４’からはずれたビームはＯＦＦとして画素を露光しないよう制御される。または、照射領域を構成するのに必要なビームアレイより一行多い開口を持つようにアパーチャ２０３、２０４を構成しておいてもよい。
【００４２】
なお、図９の例では、５×５のマルチビーム２０を偏向器２０９により１ビームピッチ分だけ上方（ｙ方向）へ一括偏向する場合を示したがこれに限るものではない。例えば、５×５のマルチビーム２０を偏向器２０９により１ビームピッチ分だけ左側（ｘ方向）へ一括偏向しても良い。或いは、例えば、５×５のマルチビーム２０を偏向器２０９により１ビームピッチ分だけ右側（−ｘ方向）へ一括偏向しても良い。或いは、例えば、５×５のマルチビーム２０を偏向器２０９により１ビームピッチ分だけ下方（−ｙ方向）へ一括偏向しても良い。また、ビームのシフト量も１ビームピッチ分に限るものではない。２ビームピッチ以上であってもよい。ビームのシフト量が偏向器２０９で偏向可能なビームピッチの整数倍であれば、いずれかのビームに切り替えることができる。
【００４３】
分割ショット割振り工程（Ｓ１０６）として、割振部７６は、マルチビーム２０の１つのビームあたりの試料１０１の画素３６（単位照射領域）毎に、１回のショットあたりの最大照射時間Ｔｔｒのショットが分割された、同じ画素３６に連続して行われる照射時間の異なる複数の分割ショットの各分割ショットをマルチビーム２０の一括偏向により切り替え可能な複数のビームの少なくとも１つに割り振る。実施の形態１では、例えば、複数の分割ショットの各分割ショットをマルチビーム２０の一括偏向により切り替え可能な複数のビームのいずれかに割り振る。
【００４４】
図１０は、実施の形態１における複数の分割ショットとビームの割振りの一例を示す図である。実施の形態１では、１回分のショットの最大照射時間Ｔｔｒを同じ位置に連続して照射される照射時間が異なるｎ回の分割ショットに分割する。まず、最大照射時間Ｔｔｒを量子化単位Δ（階調値分解能）で割った階調値Ｎｔｒを定める。例えば、ｎ＝１０とした場合、１０回の分割ショットに分割する。階調値Ｎｔｒを桁数ｎの２進数の値で定義する場合、階調値Ｎｔｒ＝１０２３になるように量子化単位Δを予め設定すればよい。これにより、最大照射時間Ｔｔｒ＝１０２３Δとなる。そして、図１０（ａ）に示すように、ｎ回の分割ショットは、５１２Δ（＝２９Δ），２５６Δ（＝２８Δ），１２８Δ（＝２７Δ），６４Δ（＝２６Δ），３２Δ（＝２５Δ），１６Δ（＝２４Δ），８Δ（＝２３Δ），４Δ（＝２２Δ），２Δ（＝２１Δ），Δ（＝２０Δ）のいずれかの照射時間を持つ。すなわち、１回分のマルチビームのショットは、５１２Δの照射時間ｔｋをもつ分割ショットと、２５６Δの照射時間ｔｋをもつ分割ショットと、１２８Δの照射時間ｔｋをもつ分割ショットと、６４Δの照射時間ｔｋをもつ分割ショットと、３２Δの照射時間ｔｋをもつ分割ショットと、１６Δの照射時間ｔｋをもつ分割ショットと、８Δの照射時間ｔｋをもつ分割ショットと、４Δの照射時間ｔｋをもつ分割ショットと、２Δの照射時間ｔｋをもつ分割ショットと、Δの照射時間ｔｋをもつ分割ショットと、に分割される。
【００４５】
よって、各画素３６に照射する任意の照射時間ｔ（＝ＮΔ）は、かかる５１２Δ（＝２９Δ），２５６Δ（＝２８Δ），１２８Δ（＝２７Δ），６４Δ（＝２６Δ），３２Δ（＝２５Δ），１６Δ（＝２４Δ），８Δ（＝２３Δ），４Δ（＝２２Δ），２Δ（＝２１Δ），Δ（＝２０Δ）及びゼロ（０）の少なくとも１つの組み合わせによって定義できる。例えば、Ｎ＝５０のショットであれば、５０＝２５+２４+２１なので、２５Δの照射時間をもつ分割ショットと、２４Δの照射時間をもつ分割ショットと、２１Δの照射時間をもつ分割ショットと、の組み合わせになる。なお、各画素３６に照射する任意の照射時間ｔの階調値Ｎを２進数変換する場合には、できるだけ大きい桁の値を使用するように定義すると好適である。
【００４６】
割振部７６は、各画素について、例えば、５１２Δの照射時間ｔｋをもつ分割ショットを切り替えビーム（ビームｂ）に割り振る。２５６Δの照射時間ｔｋをもつ分割ショットを基準ビーム（ビームａ）に割り振る。１２８Δの照射時間ｔｋをもつ分割ショットを切り替えビーム（ビームｂ）に割り振る。６４Δの照射時間ｔｋをもつ分割ショットと、３２Δの照射時間ｔｋをもつ分割ショットと、１６Δの照射時間ｔｋをもつ分割ショットと、８Δの照射時間ｔｋをもつ分割ショットと、４Δの照射時間ｔｋをもつ分割ショットと、２Δの照射時間ｔｋをもつ分割ショットと、Δの照射時間ｔｋをもつ分割ショットと、を基準ビーム（ビームａ）に割り振る。
【００４７】
どの分割ショットを基準ビームに割り振り、どの分割ショットを切り替えビームに割り振るかは予め設定しておけばよい。ここでは、画素にそれぞれ特定された実際の基準ビームと実際の切り替えビームに複数の分割ショットを割り振ればよい。ｎ回の分割ショットによる露光で、ビーム電流のばらつきが、画素３６を露光するドーズに寄与する割合は各回の分割ショットの照射時間（露光時間）に比例する。従って、ビーム毎のビーム電流のばらつきを低減させる意味では、長い照射時間（露光時間）をもつ分割ショットを複数のビームに割り振った方が効果的である。図１０（ａ）の例では、照射時間（露光時間）が長い、例えば上位３つの、５１２Δ，２５６Δ，１２８Δの分割ショットあたりで複数ビームを用いることは効果が大きいが、逆に、６４Δ以下の分割ショットあたりで複数ビームを用いることは効果が小さい。よって、実施の形態１では、照射時間（露光時間）が長い上位の分割ショットについてビームを切り替える。
【００４８】
ソート処理工程（Ｓ１０８）として、ソート処理部７８は、分割ショットの実施順をビーム単位でまとめるようにソート処理する。ビーム単位でまとめることで、ビームの切り替え動作を減らすことができ、描画時間を短縮できる。図１０（ｂ）の例では、切り替えビーム（ビームｂ）が担当する分割ショットを先にまとめ、その後に基準ビーム（ビームａ）が担当する分割ショットが続く。具体的には、５１２Δの照射時間ｔｋをもつ分割ショット（切り替えビーム（ビームｂ））、１２８Δの照射時間ｔｋをもつ分割ショット（切り替えビーム（ビームｂ））、２５６Δの照射時間ｔｋをもつ分割ショット（基準ビーム（ビームａ））、６４Δの照射時間ｔｋをもつ分割ショット（基準ビーム（ビームａ））、３２Δの照射時間ｔｋをもつ分割ショット（基準ビーム（ビームａ））、１６Δの照射時間ｔｋをもつ分割ショット（基準ビーム（ビームａ））、８Δの照射時間ｔｋをもつ分割ショット（基準ビーム（ビームａ））、４Δの照射時間ｔｋをもつ分割ショット（基準ビーム（ビームａ））、２Δの照射時間ｔｋをもつ分割ショット（基準ビーム（ビームａ））、及びΔの照射時間ｔｋをもつ分割ショット（基準ビーム（ビームａ））の順にソート処理する。
【００４９】
図１０（ｂ）の例では、同じビームが担当する複数の分割ショット内で、照射時間ｔｋが長い分割ショットが先に実施されるように示しているが、これに限るものではない。同じビームが担当する複数の分割ショット内で、照射時間ｔｋが短い分割ショットが先に実施されても良い。或いは、同じビームが担当する複数の分割ショット内で、照射時間ｔｋがランダムになる順序で分割ショットが実施されても良い。
【００５０】
照射時間演算工程（Ｓ１１０）として、画素３６（単位照射領域）毎に、当該画素３６に照射されるビームの照射時間（当該画素３６に必要なビーム照射時間）を演算する。具体的には以下のように演算されればよい。
【００５１】
まず、ρ演算部６０は、描画領域（ここでは、例えばストライプ領域３２）を所定のサイズでメッシュ状に複数の近接メッシュ領域（近接効果補正計算用メッシュ領域）に仮想分割する。近接メッシュ領域のサイズは、近接効果の影響範囲の１／１０程度、例えば、１μｍ程度に設定すると好適である。ρ演算部６０は、記憶装置１４０から描画データを読み出し、近接メッシュ領域毎に、当該近接メッシュ領域内に配置されるパターンのパターン面積密度ρを演算する。
【００５２】
次に、Ｄｐ演算部６２は、近接メッシュ領域毎に、近接効果を補正するための近接効果補正照射係数Ｄｐを演算する。ここで、近接効果補正照射係数Ｄｐを演算するメッシュ領域のサイズは、パターン面積密度ρを演算するメッシュ領域のサイズと同じである必要は無い。また、近接効果補正照射係数Ｄｐの補正モデル及びその計算手法は従来のシングルビーム描画方式で使用されている手法と同様で構わない。
【００５３】
次に、ρ’演算部６４は、画素３６毎に、当該画素３６内のパターン面積密度ρ’を演算する。ρ’のメッシュサイズは例えば画素２８の大きさと同じにする。
【００５４】
次に、Ｄ演算部６６は、画素（描画対象画素）３６毎に、当該画素３６に照射するための照射量Ｄを演算する。照射量Ｄは、例えば、予め設定された基準照射量Ｄｂａｓｅに近接効果補正照射係数Ｄｐとパターン面積密度ρ’とを乗じた値として演算すればよい。このように、照射量Ｄは、画素３６毎に算出されたパターンの面積密度に比例して求めると好適である。次に、ｔ演算部６８は、画素３６毎に、当該画素３６に演算された照射量Ｄを入射させるための電子ビームの照射時間ｔを演算する。照射時間ｔは、照射量Ｄを電流密度Ｊで割ることで演算できる。
【００５５】
階調値Ｎ算出工程（Ｓ１１２）として、階調値Ｎ算出部８６は、画素３６毎に得られた照射時間ｔを量子化単位Δ（階調値分解能）で割ることで整数の階調値Ｎデータを算出する。階調値Ｎデータは、例えば、０〜１０２３の階調値で定義される。量子化単位Δは、様々に設定可能であるが、例えば、１ｎｓ（ナノ秒）等で定義できる。量子化単位Δは、例えば１〜１０ｎｓの値を用いると好適である。ここでは、上述したように１ショットあたりの最大照射時間Ｔｔｒの階調値Ｎｔｒが１０２３になるように量子化単位Δを設定する。但し、これに限るものではない。最大照射時間Ｔｔｒの階調値Ｎｔｒが１０２３以下になるように量子化単位Δを設定すればよい。
【００５６】
分割ショットＯＮ／ＯＦＦ決定工程（Ｓ１１４）として、決定部８８は、画素３６毎に、ビームＯＮにする分割ショットの合計照射時間が、演算されたビームの照射時間に相当する組合せになるように複数の分割ショットの各分割ショットをビームＯＮにするか、ビームＯＦＦにするかを決定する。画素３６毎に得られた照射時間ｔは、値０と１のいずれかを示す整数ｗｋと、ｎ個の分割ショットのｋ番目の分割ショットの照射時間Ｔｋとを用いて、以下の式（１）で定義される。整数ｗｋが１になる分割ショットはＯＮ、整数ｗｋが０になる分割ショットはＯＦＦに決定できる。
【００５７】
【数１】
0006616986.tif 000002
【００５８】
図１１は、実施の形態１における分割ショットのＯＮ／ＯＦＦ決定方法の工程を示すフローチャート図である。決定部８８は、図１１に示すフローチャート図の各工程を実施する。
【００５９】
まず、初期設定工程（Ｓ２０２）として、変数Ｔ＝ＮΔを設定する。各画素３６に照射する任意の照射時間ｔの階調値Ｎを２進数変換する場合には、できるだけ大きい桁の値を使用するように定義すると好適である。よって、ｎ個の整数時間の数列Ｔｋを大きい順に設定する。ここでは、ｎ＝１０、数列Ｔｋ＝｛５１２Δ（＝Ｔ１），２５６Δ（＝Ｔ２），１２８Δ（＝Ｔ３），６４Δ（＝Ｔ４），３２Δ（＝Ｔ５），１６Δ（＝Ｔ６），８Δ（＝Ｔ７），４Δ（＝Ｔ８），２Δ（＝Ｔ９），Δ（＝Ｔ１０）｝を設定する。ｎ個の整数ｗｋを「０」に設定する。変数ｋを「１」に設定する。
【００６０】
判定工程（Ｓ２０４）として、変数Ｔ−Ｔｋ＞０かどうかを判定する。Ｔ−Ｔｋ＞０の場合、設定工程（Ｓ２０６）に進む。Ｔ−Ｔｋ＞０ではない場合、判定工程（Ｓ２０８）に進む。
【００６１】
設定工程（Ｓ２０６）において、ｗｋ＝１を設定する。また、Ｔ＝Ｔ−Ｔｋを演算する。演算後、判定工程（Ｓ２０８）に進む。
【００６２】
判定工程（Ｓ２０８）において、変数ｋ＜ｎかどうかを判定する。ｋ＜ｎの場合、加算工程（Ｓ２１０）に進む。ｋ＜ｎではない場合、終了する。
【００６３】
加算工程（Ｓ２１０）において、変数ｋに１を加算する（ｋ＝ｋ＋１）。そして、判定工程（Ｓ２０４）に戻る。そして、判定工程（Ｓ２０８）において、ｋ＜ｎではなくなるまで、判定工程（Ｓ２０４）から加算工程（Ｓ２１０）を繰り返す。
【００６４】
例えば、Ｎ＝７００であれば、Ｔ１＝５１２Δなので、７００Δ−５１２Δ＝１８８Δとなる。よって、Ｔ−Ｔ１＞０となる。よって、設定工程（Ｓ２０６）において、ｗ１＝１が設定される。また、Ｔ＝７００Δ−５１２Δ＝１８８Δとなる。ｋ＝１であれば、１＜１０となるので、ｋ＝ｋ＋１を演算後、判定工程（Ｓ２０４）に戻る。同様に繰り返すことで、ｗ１＝１、ｗ２＝０、ｗ３＝１、ｗ４＝０、ｗ５＝１、ｗ６＝１、ｗ７＝１、ｗ８＝１、ｗ９＝０、ｗ１０＝０、となる。よって、Ｔ１の分割ショットがＯＮ、Ｔ２の分割ショットがＯＦＦ、Ｔ３の分割ショットがＯＮ、Ｔ４の分割ショットがＯＦＦ、Ｔ５の分割ショットがＯＮ、Ｔ６の分割ショットがＯＮ、Ｔ７の分割ショットがＯＮ、Ｔ８の分割ショットがＯＮ、Ｔ９の分割ショットがＯＦＦ、Ｔ１０の分割ショットがＯＦＦ、と決定することができる。
【００６５】
照射時間配列データ生成工程（Ｓ１１６）として、データ生成部９０は、１回分のショットを同じ位置に連続して照射される照射時間が異なる複数回の分割ショットに分割するための分割ショットの照射時間配列データを生成する。データ生成部９０は、画素３６毎に、当該画素に実施される分割ショットの照射時間配列データを生成する。例えば、Ｎ＝５０であれば、５０＝２５+２４+２１なので、“００００１１００１０”となる。例えば、Ｎ＝５００であれば、同様に、“０１１１１１０１００”となる。例えば、Ｎ＝７００であれば、同様に、“１０１０１１１１００”となる。例えば、Ｎ＝１０２３であれば、同様に、“１１１１１１１１１１”となる。
【００６６】
照射時間配列データ加工工程（Ｓ１１８）として、配列加工部７０は、各ビームのショット順に、照射時間配列データを加工する。図６で説明したように、ステージの移動方向に隣の画素３６が次にショットされるわけではない。よって、ここでは、描画シーケンスに沿って、マルチビーム２０が順にショットすることになる画素３６順に各画素３６の照射時間配列データが並ぶように順序を加工する。さらに、１つのショット内においても、ソート処理工程（Ｓ１０８）によって分割ショットの順序が入れ替わっているので、各画素３６の照射時間配列データについてかかる順序も入れ替える。
【００６７】
図１２は、実施の形態１における照射時間配列データの一部の一例を示す図である。図１２では、マルチビームを構成するビームの内、例えばビーム１〜５についての所定のショットの照射時間配列データの一部を示している。図１２の例では、ビーム１〜５について、ｋ番目の分割ショットからｋ−３番目の分割ショットまでの照射時間配列データを示している。例えば、ビーム１について、ｋ番目からｋ−３番目までの分割ショットについてデータ”１１０１”を示す。ビーム２について、ｋ番目からｋ−３番目までの分割ショットについてデータ”１１００”を示す。ビーム３について、ｋ番目からｋ−３番目までの分割ショットについてデータ”０１１０”を示す。ビーム４について、ｋ番目からｋ−３番目までの分割ショットについてデータ”０１１１”を示す。ビーム５について、ｋ番目からｋ−３までの分割ショットについてデータ”１０１１”を示す。加工された照射時間配列データは、記憶装置１４２に格納される。
【００６８】
ｋ番目データ転送工程（Ｓ１２２）として、転送処理部８２は、各ビームのショット（当該ショット用の複数の分割ショット）毎に、照射時間配列データを偏向制御回路１３０に出力する。偏向制御回路１３０は、分割ショット毎に、各ビーム用のロジック回路４１に照射時間配列データを出力する。また、これと同期して、偏向制御回路１３０は、共通ブランキング用のロジック回路１３１に各分割ショットのタイミングデータを出力する。
【００６９】
図７において説明したように、ロジック回路４１にシフトレジスタ４０を用いているので、データ転送の際、偏向制御回路１３０は、同じ順番の分割ショットのデータをビームの配列順（或いは識別番号順）にブランキングアパーチャアレイ部２０４の各ロジック回路４１にデータ転送する。例えば、ブランキングアパーチャアレイ部２０４に行列状に配置されたブランカーを行或いは列単位でグループにまとめ、グループ単位でデータ転送する。また、同期用のクロック信号（ＣＬＫ１）、データ読み出し用のリード信号（ｒｅａｄ）、及びＡＮＤ演算器信号（ＢＬＫ信号）を出力する。図１２の例では、例えば、ビーム１〜５のｋ番目のデータとして、後のビーム側から”１００１１”の各１ビットデータを転送する。各ビームのシフトレジスタ４０は、クロック信号（ＣＬＫ１）に従って、上位側から順にデータを次のシフトレジスタ４０に転送する。例えば、ビーム１〜５のｋ番目のデータは、５回のクロック信号によって、ビーム１のシフトレジスタ４０には１ビットデータである”１”が格納される。ビーム２のシフトレジスタ４０には１ビットデータである”１”が格納される。ビーム３のシフトレジスタ４０には１ビットデータである”０”が格納される。ビーム４のシフトレジスタ４０には１ビットデータである”０”が格納される。ビーム５のシフトレジスタ４０には１ビットデータである”１”が格納される。
【００７０】
次に、各ビームのレジスタ４２が、リード信号（ｒｅａｄ）を入力すると、各ビームのレジスタ４２が、シフトレジスタ４０からそれぞれのビームのｋ番目のデータを読み込む。図１２の例では、ｋ番目のデータとして、ビーム１のレジスタ４２には１ビットデータである”１”が格納される。ｋビット目（ｋ桁目）のデータとして、ビーム２のレジスタ４２には１ビットデータである”１”が格納される。ｋ番目のデータとして、ビーム３のレジスタ４２には１ビットデータである”０”が格納される。ｋ番目のデータとして、ビーム４のレジスタ４２には１ビットデータである”０”が格納される。ｋ番目のデータとして、ビーム５のレジスタ４２には１ビットデータである”１”が格納される。各ビームの個別レジスタ４２は、ｋ番目のデータを入力すると、そのデータに従って、ＯＮ／ＯＦＦ信号をＡＮＤ演算器４４に出力する。ｋ番目のデータが”１”であればＯＮ信号を、”０”であればＯＦＦ信号を出力すればよい。そして、ＡＮＤ演算器４４では、ＢＬＫ信号がＯＮ信号であって、レジスタ４２の信号がＯＮであれば、アンプ４６にＯＮ信号を出力し、アンプ４６は、ＯＮ電圧を個別ブランキング偏向器の電極２４に印加する。それ以外では、ＡＮＤ演算器４４は、アンプ４６にＯＦＦ信号を出力し、アンプ４６は、ＯＦＦ電圧を個別ブランキング偏向器の電極２４に印加する。
【００７１】
そして、かかるｋ番目のデータが処理されている間に、偏向制御回路１３０は、次のｋ−１番目のデータをビームの配列順（或いは識別番号順）にブランキングアパーチャアレイ部２０４の各ロジック回路４１にデータ転送する。図１２の例では、例えば、ビーム１〜５のｋ−１番目のデータとして、後のビーム側から”０１１１１”の各１ビットデータを転送する。各ビームのシフトレジスタ４０は、クロック信号（ＣＬＫ１）に従って、上位側から順にデータを次のシフトレジスタ４０に転送する。例えば、ビーム１〜５のｋ−１番目のデータは、５回のクロック信号によって、ビーム１のシフトレジスタ４０には１ビットデータである”１”が格納される。ビーム２のシフトレジスタ４０には１ビットデータである”１”が格納される。ビーム３のシフトレジスタ４０には１ビットデータである”１”が格納される。ビーム４のシフトレジスタ４０には１ビットデータである”１”が格納される。ビーム５のシフトレジスタ４０には１ビットデータである”０”が格納される。そして、偏向制御回路１３０は、ｋ番目の照射時間が終了したら、次のｋ−１番目のリード信号を出力する。ｋ−１番目のリード信号によって、各ビームのレジスタ４２が、シフトレジスタ４０からそれぞれのビームのｋ−１番目のデータを読み込めばよい。以下、同様に、１番目のデータ処理まで進めればよい。
【００７２】
ここで、図７に示したＡＮＤ演算器４４については、省略しても構わない。但し、ロジック回路４１内の各素子のいずれかが故障して、ビームＯＦＦにできない状態に陥った場合などに、ＡＮＤ演算器４４を配置することでビームをＯＦＦに制御できる点で効果的である。また、図７では、シフトレジスタを直列にした１ビットのデータ転送経路を用いているが、複数の並列の転送経路を設けることで、２ビット以上のデータで制御することもでき、転送の高速化を図ることができる。
【００７３】
判定工程（Ｓ１２４）として、判定部９２は、データ転送されたｋ番目の分割ショットのデータがｋ’番目のデータかどうかを判定する。図１０（ｂ）の例では、１，２番目の分割ショットを切り替えビーム（ビーム（ｂ））が実施し、３番目の分割ショット以降を基準ビーム（ビーム（ａ））が実施することになるので、ｋ’＝３が設定されることになる。ｋ番目の分割ショットのデータがｋ’番目のデータであれば、ビーム切り替え工程（Ｓ１２６）に進む。ｋ番目の分割ショットのデータがｋ’番目のデータでなければ、ｋ番目分割ショット工程（Ｓ１２８）に進む。
【００７４】
照射時間が短い分割ショットから順に行う場合には、１〜８番目の分割ショットを基準ビーム（ビーム（ａ））が実施し、９番目の分割ショット以降を切り替えビーム（ビーム（ｂ））が実施することになるので、ｋ’＝９が設定されることになる。
【００７５】
ビーム切り替え工程（Ｓ１２６）として、ビームシフト処理部９４は、データ転送されたｋ番目の分割ショットのデータがｋ’番目のデータの場合、上述した基準ビームと切り替えビームの一方から他方へ各画素に照射するビームが切り替わるように、マルチビーム２０全体を一括偏向するためのビームシフト信号を偏向制御回路１３０に出力する。偏向制御回路１３０は、ＤＡＣアンプ１３２にマルチビーム２０全体を一括偏向するための偏向信号を出力する。そして、ＤＡＣアンプ１３２は、かかるデジタル信号の偏向信号をアナログの偏向電圧に変換した上で偏向器２０９に印加する。これにより、図９（ｂ）に示すように、マルチビーム２０全体を一括偏向して、各画素を照射するビームを基準ビームと切り替えビームの一方から他方に切り替える。図１０（ｂ）の例では、切り替えビーム（ビーム（ｂ））が担当する分割ショットが先に実施されるので、３番目の分割ショットのデータに沿って分割ショットを行う際に、切り替えビーム（ビーム（ｂ））から基準ビーム（ビーム（ａ））に切り替える。
【００７６】
ｋ番目分割ショット工程（Ｓ１２８）として、描画制御部８４の制御のもと、描画部１５０は、ＸＹステージ１０５の移動に同期しながら、電子ビームによるマルチビーム２０を用いて、ｋ番目の分割ショットを試料１０１に実施する。ここでは、ｋ番目の分割ショットに対応するビームで分割ショットを行う。
【００７７】
判定工程（Ｓ１３０）として、判定部９６は、１回分のショットに対応する複数の分割ショットがすべて終了したかどうかを判定する。１回分のショットに対応する全分割ショットが終了していれば次のショットに進む。まだ、終了していなければ加算工程（Ｓ１３２）に進む。
【００７８】
加算工程（Ｓ１３２）として、加算部９８は、ｋに１を加算して新たなｋとする。そして、ｋ番目データ転送工程（Ｓ１２２）に戻る。判定工程（Ｓ１３０）において１回分のショットに対応する複数の分割ショットがすべて終了するまで、ｋ番目データ転送工程（Ｓ１２２）から加算工程（Ｓ１３２）までを繰り返す。図１０（ｂ）の例では、
【００７９】
このように、描画部１５０は、マルチビーム２０の一括偏向により複数のビームを切り替えながら、当該画素に、同じ画素に連続して行われる複数の分割ショットのうちビームＯＮになる複数の対応分割ショットを複数のビームを用いて行う。複数の分割ショットを行っている途中で、同じ画素３６を複数のビームで照射することによって、各ビームを成形する穴２２の加工精度の誤差に起因する照射量（ドーズ量）の誤差があってもドーズ量の誤差を平均化できる。
【００８０】
図１３は、実施の形態１における１ショット中の複数の分割ショットの一部についてのビームＯＮ／ＯＦＦ切り替え動作を示すタイミングチャート図である。図１３では、例えば、マルチビームを構成する複数のビームのうち、１つのビーム（ビーム１）について示している。ここでは、例えば、ビーム１のｋ番目から（ｋ−３）番目までの分割ショットについて示している。照射時間配列データは、例えば、ｋ番目が”１”、ｋ−１番目が”１”、ｋ−２番目が”０”、ｋ−３番目が”１”の場合を示している。
【００８１】
まず、ｋ番目のリード信号の入力によって、個別レジスタ４２は、格納されているｋ番目のデータ（１ビット）に従ってＯＮ／ＯＦＦ信号を出力する。
【００８２】
ｋ番目のデータがＯＮデータであるので、個別アンプ４６（個別アンプ１）はＯＮ電圧を出力し、ビーム１用のブランキング電極２４にＯＮ電圧を印加する。一方、共通ブランキング用のロジック回路１３１内では、当該ショットで使用する分割ショットの各分割ショットのタイミングデータに従って、ＯＮ／ＯＦＦを切り替える。共通ブランキング機構では、各分割ショットの照射時間だけＯＮ信号を出力する。当該ショットの複数の分割ショットが、例えば５１２Δ、２５６Δ、６４Δ、３２Δの各照射時間になる４回の分割ショットで構成される場合、例えば、Δ＝１ｎｓとすれば、１回目の分割ショットの照射時間が５１２Δ＝５１２ｎｓとなる。２回目の分割ショットの照射時間が２５６Δ＝２５６ｎｓとなる。３回目の分割ショットの照射時間が６４Δ＝６４ｎｓとなる。４回目の分割ショットの照射時間が３２Δ＝３２ｎｓとなる。ロジック回路１３１内では、レジスタ５０に各分割ショットのタイミングデータが入力されると、レジスタ５０がｋ番目のＯＮデータを出力し、カウンタ５２がｋ番目の分割ショットの照射時間をカウントし、かかる照射時間の経過時にＯＦＦとなるように制御される。省略された分割ショットに対しては、各分割ショットのタイミングデータの入力を省略し、また、対応する照射時間配列データの転送を省略することで効率良く描画時間の短縮を行うことができる。
【００８３】
また、共通ブランキング機構では、個別ブランキング機構のＯＮ／ＯＦＦ切り替えに対して、アンプ４６の電圧安定時間（セトリング時間）Ｓ１／Ｓ２を経過した後にＯＮ／ＯＦＦ切り替えを行う。図１３の例では、個別アンプ１がＯＮになった後、ＯＦＦからＯＮに切り替え時の個別アンプ１のセトリング時間Ｓ１を経過後に、共通アンプがＯＮになる。これにより、個別アンプ１の立ち上がり時の不安定な電圧でのビーム照射を排除できる。そして、共通アンプは対象となるｋ番目の分割ショットの照射時間の経過時にＯＦＦとなる。その結果、実際のビームは、個別アンプと共通アンプが共にＯＮであった場合に、ビームＯＮとなり、試料１０１に照射される。よって、共通アンプのＯＮ時間が実際のビームの照射時間になるように制御される。一方、個別アンプ１がＯＦＦになるときには、共通アンプがＯＦＦになった後、セトリング時間Ｓ２を経過後に個別アンプ１がＯＦＦになる。これにより、個別アンプ１の立ち下がり時の不安定な電圧でのビーム照射を排除できる。
【００８４】
以上のように、個別ブランキング機構により各ビームのＯＮ／ＯＦＦ切り替えが行われる制御とは別に、共通ブランキング機構（ロジック回路１３１、及び偏向器２１２等）を用いてマルチビーム全体に対して一括してビームのＯＮ／ＯＦＦ制御を行い、ｋ番目の各分割ショットに対応する照射時間だけビームＯＮの状態になるようにブランキング制御を行う。これにより、マルチビームの各ショットは、同じ位置に連続して照射される照射時間が異なる複数回の分割ショットに分割される。
【００８５】
図１４は、実施の形態１におけるブランキング動作を説明するための概念図である。電子銃２０１（放出部）から放出された電子ビーム２００は、照明レンズ２０２によりほぼ垂直に成形アパーチャアレイ部材２０３全体を照明する。成形アパーチャアレイ部材２０３には、矩形の複数の穴（開口部）が形成され、電子ビーム２００は、すべての複数の穴２２が含まれる領域を照明する。複数の穴２２の位置に照射された電子ビーム２００の各一部が、かかる成形アパーチャアレイ部材２０３の複数の穴２２をそれぞれ通過することによって、例えば矩形形状の複数の電子ビーム（マルチビーム）２０ａ〜ｅが形成される。かかるマルチビーム２０ａ〜ｅは、ブランキングアパーチャアレイ部２０４のそれぞれ対応するブランカー（第１の偏向器：個別ブランキング機構）内を通過する。かかるブランカーは、それぞれ、すくなくとも個別に通過する電子ビーム２０を分割ショットの設定された描画時間（照射時間）＋αの間は個別レジスタ４２に従いビームＯＮ、ＯＦＦの状態を保つ。上述したように、各分割ショットの照射時間は偏向器２１２（共通ブランキング機構）によって制御される。
【００８６】
ブランキングアパーチャアレイ部２０４を通過したマルチビーム２０ａ〜ｅは、縮小レンズ２０５によって、縮小され、制限アパーチャ部材２０６に形成された中心の穴に向かって進む。ここで、ブランキングアパーチャアレイ部２０４のブランカーによって偏向された電子ビーム２０は、制限アパーチャ部材２０６（ブランキングアパーチャ部材）の中心の穴から位置がはずれ、制限アパーチャ部材２０６によって遮蔽される。一方、ブランキングアパーチャアレイ部２０４のブランカーによって偏向されなかった電子ビーム２０は、偏向器２１２（共通ブランキング機構）によって、偏向されなければ、図１に示すように制限アパーチャ部材２０６の中心の穴を通過する。かかる個別ブランキング機構のＯＮ／ＯＦＦと共通ブランキング機構のＯＮ／ＯＦＦとの組み合わせによって、ブランキング制御が行われ、ビームのＯＮ／ＯＦＦが制御される。このように、制限アパーチャ部材２０６は、個別ブランキング機構或いは共通ブランキング機構によってビームＯＦＦの状態になるように偏向された各ビームを遮蔽する。そして、ビームＯＮになってからビームＯＦＦになるまでに形成された、制限アパーチャ部材２０６を通過したビームにより、１回分のショットをさらに分割した複数の分割ショットの各ビームが形成される。制限アパーチャ部材２０６を通過したマルチビーム２０は、対物レンズ２０７により焦点が合わされ、所望の縮小率のパターン像となり、偏向器２０８及び偏向器２０９によって、制限アパーチャ部材２０６を通過した各ビーム（マルチビーム２０全体）が同方向にまとめて偏向され、各ビームの試料１０１上のそれぞれの照射位置に照射される。また、例えばＸＹステージ１０５が連続移動している時、ビームの照射位置がＸＹステージ１０５の移動に追従するように偏向器２０８によって制御される。一度に照射されるマルチビーム２０は、理想的には成形アパーチャアレイ部材２０３の複数の穴の配列ピッチに上述した所望の縮小率を乗じたピッチで並ぶことになる。
【００８７】
なお、ビーム切り替えを行った場合、次の分割ショットを行う前にＤＡＣアンプ１３２の出力が静定するまで次の分割ショットを待つ必要がある。かかる待ち時間だけ描画時間が延びることになる。しかし、ビームピッチが例えば１６０ｎｍ等と小さい場合、ＤＡＣアンプ１３２の静定時間（セトリング時間）は１００ｎｓ以下で済む。一方、１画素あたりの最大照射時間Ｔｔｒは１０〜１００ｎｍと桁違いに長いので、ビーム切り替えに伴う描画時間の遅延は無視できる程度にできる。
【００８８】
以上のように、実施の形態１によれば、マルチビームを成形するアパーチャ径誤差に起因するドーズ量誤差を低減できる。
【００８９】
図１５は、実施の形態１における描画方法の変形例の要部工程を示すフローチャート図である。図１５において、実施の形態１における描画方法の変形例は、図８の各工程に、さらに、アパーチャ径測定工程（Ｓ９０）と、照射量誤差割合算出工程（Ｓ９２）と、を追加した点以外は、図８と同様である。アパーチャ径測定工程（Ｓ９０）と、補正係数算出工程（Ｓ９２）とは描画処理を実施する前に予め実施しておけばよい。成形アパーチャアレイ部材２０３の穴２２（アパーチャ）の大きさは、例えば、１〜２μｍと非常に小さいため、かかる穴２２の面積を均一にすることは困難である。そこで、各穴２２の誤差を考慮して分割ショットのＯＮ／ＯＦＦ決定を行うことで照射時間を補正する。
【００９０】
アパーチャ径測定工程（Ｓ９０）として、予め、光学顕微鏡や電子顕微鏡を使って、製造された成形アパーチャアレイ部材２０３の各穴２２の径（アパーチャ径）を測定する。
【００９１】
照射量誤差割合算出工程（Ｓ９２）として、測定された各穴２２の面積をそれぞれ穴２２の設計面積で割ることで、照射量誤差割合ａ（ｘ）を算出する。各穴２２の照射量誤差割合ａ（ｘ）は、記憶装置１４０に格納される。
【００９２】
照射量誤差割合ａ（ｘ）は、成形アパーチャアレイ部材２０３の各穴２２の顕微鏡画像から画像処理で面積を算出して定めてもよい。またマルチビーム２０のうち角孔２２に対応するものの電流値を測定し、これと目標電流値の比としてさだめてもよい。この場合角孔２２の面積の誤差だけでなく、電子ビーム２００が成形アパーチャ２０３を照明する際の不均質も含めた照射量誤差割合ａ（ｘ）になる。なおアパーチャ径とアパーチャを通過するビーム電流は小さいため、ａ（ｘ）には測定誤差起因の誤差が含まれる可能性が高い。
【００９３】
基準ビーム特定工程（Ｓ１０２）から階調値Ｎ算出工程（Ｓ１１２）までの各工程の内容は上述した通りである。
【００９４】
分割ショットＯＮ／ＯＦＦ決定工程（Ｓ１１４）として、決定部８８は、画素３６毎に、マルチビーム２０を形成する複数の穴２２のアパーチャ誤差（開口面積誤差）に起因する各ビームの照射量誤差を補正するように、ビームＯＮになる複数の対応分割ショットを決定する。画素３６毎に得られた照射時間ｔ（ｘ）は、過不足時間δＴ（ｘ）と各回の分割ショットを担当するビームの照射量誤差割合ａｋと、値０と１のいずれかを示す整数ｗｋと、ｎ個の分割ショットのｋ番目の分割ショットの照射時間Ｔｋとを用いて、以下の式（２）で定義できる。ｘは画素３６の座標を示す。画素３６毎の各回の分割ショットを担当するビームの照射量誤差割合ａｋは、使用するビームの照射量誤差割合ａ（ｘ）を記憶装置１４０から読み出せばよい。整数ｗｋが１になる分割ショットはＯＮ、整数ｗｋが０になる分割ショットはＯＦＦに決定できる。
【００９５】
【数２】
0006616986.tif 000003
【００９６】
図１６は、実施の形態１における分割ショットのＯＮ／ＯＦＦ決定方法の変形例の工程を示すフローチャート図である。決定部８８は、図１６に示すフローチャート図の各工程を実施する。
【００９７】
まず、初期設定工程（Ｓ３０２）として、変数Ｔ＝ＮΔを設定する。各画素３６に照射する任意の照射時間ｔの階調値Ｎを２進数変換する場合には、できるだけ大きい桁の値を使用するように定義すると好適である。よって、ｎ個の整数時間の数列Ｔｋを大きい順に設定する。ここでは、ｎ＝１０、数列Ｔｋ＝｛５１２Δ（＝Ｔ１），２５６Δ（＝Ｔ２），１２８Δ（＝Ｔ３），６４Δ（＝Ｔ４），３２Δ（＝Ｔ５），１６Δ（＝Ｔ６），８Δ（＝Ｔ７），４Δ（＝Ｔ８），２Δ（＝Ｔ９），Δ（＝Ｔ１０）｝を設定する。ｎ個の整数ｗｋを「０」に設定する。変数ｋを「１」に設定する。
【００９８】
判定工程（Ｓ３０４）として、変数Ｔ−ａｋ・Ｔｋ＞０かどうかを判定する。Ｔ−ａｋ・Ｔｋ＞０の場合、設定工程（Ｓ３０６）に進む。Ｔ−ａｋ・Ｔｋ＞０ではない場合、判定工程（Ｓ３０８）に進む。
【００９９】
設定工程（Ｓ３０６）において、ｗｋ＝１を設定する。また、Ｔ＝Ｔ−ａｋ・Ｔｋを演算する。演算後、判定工程（Ｓ３０８）に進む。
【０１００】
判定工程（Ｓ３０８）において、変数ｋ＜ｎかどうかを判定する。ｋ＜ｎの場合、加算工程（Ｓ３１０）に進む。ｋ＜ｎではない場合、終了する。
【０１０１】
加算工程（Ｓ３１０）において、変数ｋに１を加算する（ｋ＝ｋ＋１）。そして、判定工程（Ｓ３０４）に戻る。そして、判定工程（Ｓ３０８）において、ｋ＜ｎではなくなるまで、判定工程（Ｓ３０４）から加算工程（Ｓ３１０）を繰り返す。
【０１０２】
Ｔｋのうち一番小さな値をＴｍｉｎとすると、図１６に示したフローチャートに沿って分割ショットのＯＮ／ＯＦＦを決定することにより、０≦｜δＴ（ｘ）｜＜Ｔｍｉｎにできる。一方、図１１のフローチャートに沿って分割ショットのＯＮ／ＯＦＦを決定する場合、｜δＴ（ｘ）｜＞Ｔｍｉｎになる可能性もある。照射時間演算工程（Ｓ１１０）において当該画素３６の照射時間が、例えば、Ｔ＝５００Δとなったが、アパーチャ誤差に起因するビームの照射量誤差を補正するために当該画素に必要な照射時間が、例えば、Ｔ＝５０１．３Δである場合を想定する。かかる場合、図１１のフローチャートに沿って分割ショットのＯＮ／ＯＦＦを決定することにより、式（１）の右辺の値は５００Δになる。よって、その際の過不足時間δＴ（ｘ）は１．３Δとなり、｜δＴ（ｘ）｜＞Ｔｍｉｎ（＝Δ）になる。これに対して、図１６に示したフローチャートに沿って分割ショットのＯＮ／ＯＦＦを決定することにより、式（２）の右辺の値は５０１Δになる。よって、その際の過不足時間δＴ（ｘ）は０．３Δとなり、０≦｜δＴ（ｘ）｜＜Ｔｍｉｎ（＝Δ）になる。よって、過不足時間δＴ（ｘ）の絶対値を小さくできる。よって、アパーチャ誤差に起因するビームの照射量誤差を補正するために当該画素に必要な照射時間と実際に照射される照射時間の差を小さくできる。
【０１０３】
さらに、δＴ（ｘ）＞Ｔｍｉｎ／２になる場合には、初期設定工程（Ｓ３０２）における変数Ｔ＝ＮΔの代わりに、変数Ｔ＝ＮΔ＋Ｔｍｉｎにして、ｗｋを決め直しても好適である。照射時間演算工程（Ｓ１１０）において当該画素３６の照射時間が、例えば、Ｔ＝５００Δとなったが、アパーチャ誤差に起因するビームの照射量誤差を補正するために当該画素に必要な照射時間が、例えば、Ｔ＝５００．７Δである場合を想定する。かかる場合、図１６に示したフローチャートに沿って分割ショットのＯＮ／ＯＦＦを決定することにより、式（２）の右辺第２項の値は５００Δになる。よって、その際のδＴ（ｘ）は０．７Δとなる。しかし、初期設定工程（Ｓ３０２）において、Ｔｍｉｎ＝Δを変数Ｔに加算しておくことで、式（２）の右辺第２項の値は５０１Δになる。よって、その際のδＴ（ｘ）は−０．３Δになり、過不足時間δＴ（ｘ）の絶対値を小さくできる。よって、アパーチャ誤差に起因するビームの照射量誤差を補正するために当該画素に必要な照射時間と実際に照射される照射時間の差を小さくできる。
【０１０４】
一部または全部のアパーチャの開口面積が設計値より小さくａｋのうち少なくとも１つがａｋ＜１となる場合、すべてのｗｋを１にしても｜δＴ（ｘ）｜＞Ｔｍｉｎになる可能性がある。つまり、ＮΔのとりうる最大値は全てのＴｋの和であるが、ＮΔがこの値に近い場合すべてのｗｋを１にしても式（２）右辺にあるａｋ・Ｔｋの和がＮΔより小さい場合があり得る。この場合、測定されたａｋの値に応じてカウンタ５２のクロックを低い値に変更して描画制御を行う。つまりカウンタの５２のクロックを低くすると制御上の量子化時間Δが大きくなるので、より小さいＮで同じ露光量が得られるので、露光に必要なＮΔの最大値がａｋ・Ｔｋの和より常に小さくなるようにできる。
【０１０５】
照射時間配列データ生成工程（Ｓ１１６）以降の各工程については上述した内容と同様である。
【０１０６】
以上のように、実施の形態１の変形例によれば、複数の分割ショットを２つのビームで切り替えながら実施する上に、さらに、照射量誤差を補正する照射時間にできる。よって、マルチビームを成形するアパーチャ径の製作誤差と校正のための測定誤差に起因するドーズ量誤差をさらに低減できる。
【０１０７】
実施の形態２．
実施の形態１では、照射時間の異なる複数の分割ショットを２つのビームのいずれかに振り分けることで、ビーム電流のばらつきの平均化を図った。しかし、上述したようにｎ回の分割ショットの露光で、ビーム電流のばらつきが、画素を露光するドーズに寄与する割合は各分割ショットの露光時間に比例する。よって、割り振られた２つのビーム間で当該画素３６に照射される照射時間の合計がより均一になる方が望ましい。
【０１０８】
図１７は、実施の形態２の比較例における複数の分割ショットとビームの割振りの一例を示す図である。図１７（ａ）に示す各分割ショットの照射時間は、図１０（ａ）で説明したように、２進数の各桁の値を用いているので、最上位の５１２Δの照射時間をもつ分割ショットとほぼ同じ照射時間を得るためには、２５６Δ以下の照射時間を合計する必要がある。よって、例えば、５１２Δの分割ショットを切り替えビーム（ビームｂ）が担当する場合、図１７（ｂ）に示すように、割り振られた２つのビーム間で当該画素３６に照射される照射時間の合計がより均一になるためには、２５６Δ以下の照射時間をもつすべての分割ショットを基準ビーム（ビームａ）が担当する必要がある。しかし、かかる振り分けの仕方では、画素３６によっては、必要な照射時間が５１１Δ以下の場合もあり得る。かかる場合、５１２Δの分割ショットがビームＯＦＦとなり、ビームｂが使用されることが無くなってしまう。それでは、ビーム電流のばらつきの平均化が困難となってしまう。よって、複数の分割ショットのうち、照射時間が長い上位の分割ショットについては、複数のビームに振り分けられることが望ましい。なお、例えば６４Δ以下の照射時間をもつ下位の分割ショットについては、もともと照射時間が短いのでビーム電流のばらつきが生じても露光するドーズに寄与する割合は小さいので許容することができる。
【０１０９】
図１８は、実施の形態２における複数の分割ショットとビームの割振りの一例を示す図である。実施の形態２では、複数の分割ショットの少なくとも１つの分割ショットが複数のサブ分割ショットに分割される。図１８（ａ）の例では、図１０（ａ）に示した複数の分割ショットのうち、最上位の５１２Δの照射時間をもつ分割ショットと、上位２番目の２５６Δの照射時間をもつ分割ショットとが、それぞれ２つずつのサブ分割ショットに分割される場合を示す。すなわち、５１２Δの照射時間をもつ分割ショットは、２５６Δの照射時間をもつ２つのサブ分割ショットに分割される。同様に、２５６Δの照射時間をもつ分割ショットは、１２８Δの照射時間をもつ２つのサブ分割ショットに分割される。その他は図１０（ａ）と同様である。
【０１１０】
なお、実施の形態２における描画装置１００の構成は図１と同様である。また、実施の形態２における描画方法の要部工程を示すフローチャートは図８或いは図１５と同様である。また、以下特に説明する点以外の内容は実施の形態１と同様である。
【０１１１】
基準ビーム特定工程（Ｓ１０２）と切り替えビーム特定工程（Ｓ１０４）の内容は実施の形態１と同様である。
【０１１２】
分割ショット割振り工程（Ｓ１０６）として、割振部７６は、マルチビーム２０の１つのビームあたりの試料１０１の画素３６（単位照射領域）毎に、１回のショットあたりの最大照射時間Ｔｔｒのショットが分割された、同じ画素３６に連続して行われる照射時間の異なる複数の分割ショットの各分割ショットをマルチビーム２０の一括偏向により切り替え可能な複数のビームの少なくとも１つに割り振る。実施の形態２において、割振部７６は、割り振られたビーム間で当該画素３６に照射される照射時間の合計ができるだけ均一に近づくように、複数の分割ショットの各分割ショットを複数のビームの少なくとも１つに割り振る。そのために、割振部７６は、複数のサブ分割ショットの各サブ分割ショットと、サブ分割ショットに分割されなかった残りの分割ショットとを複数のビームのいずれかに割り振る。特に、実施の形態２では、サブ分割ショットについては、複数のビームにそれぞれ割り振る。
【０１１３】
割振部７６は、各画素について、例えば、５１２Δの照射時間ｔｋをもつ分割ショットを分割した２５６Δの照射時間ｔｋをもつ２つのサブ分割ショットの一方を切り替えビーム（ビームｂ）に割り振る。２５６Δの照射時間ｔｋをもつ２つのサブ分割ショットの他方を基準ビーム（ビームａ）に割り振る。２５６Δの照射時間ｔｋをもつ分割ショットを分割した１２８Δの照射時間ｔｋをもつ２つのサブ分割ショットの一方を切り替えビーム（ビームｂ）に割り振る。１２８Δの照射時間ｔｋをもつ２つのサブ分割ショットの他方を基準ビーム（ビームａ）に割り振る。１２８Δの照射時間ｔｋをもつ分割ショットを切り替えビーム（ビームｂ）に割り振る。６４Δの照射時間ｔｋをもつ分割ショットと、３２Δの照射時間ｔｋをもつ分割ショットと、１６Δの照射時間ｔｋをもつ分割ショットと、８Δの照射時間ｔｋをもつ分割ショットと、４Δの照射時間ｔｋをもつ分割ショットと、２Δの照射時間ｔｋをもつ分割ショットと、Δの照射時間ｔｋをもつ分割ショットと、を基準ビーム（ビームａ）に割り振る。
【０１１４】
どの分割ショットを基準ビームに割り振り、どの分割ショットを切り替えビームに割り振るかは予め設定しておけばよい。ここでは、画素にそれぞれ特定された実際の基準ビームと実際の切り替えビームに複数の分割ショット及び複数のサブ分割ショットを割り振ればよい。
【０１１５】
ソート処理工程（Ｓ１０８）として、ソート処理部７８は、分割ショットの実施順をビーム単位でまとめるようにソート処理する。ビーム単位でまとめることで、ビームの切り替え動作を減らすことができ、描画時間を短縮できる。図１８（ｂ）の例では、図１０（ｂ）と同様、切り替えビーム（ビームｂ）が担当する分割ショットを先にまとめ、その後に基準ビーム（ビームａ）が担当する分割ショットが続く。
【０１１６】
図１８（ｂ）の例では、同じビームが担当する複数の分割ショット内で、照射時間ｔｋが長い分割ショットが先に実施されるように示しているが、これに限るものではない。同じビームが担当する複数の分割ショット内で、照射時間ｔｋが短い分割ショットが先に実施されても良い。或いは、同じビームが担当する複数の分割ショット内で、照射時間ｔｋがランダムになる順序で分割ショットが実施されても良い。
【０１１７】
サブ分割ショットを用いることで、図１８（ｂ）に示すように、基準ビーム（ビームａ）の合計照射時間は５１１Δになり、切り替えビーム（ビームｂ）の合計照射時間は５１２Δとなる。よって、割り振られたビーム間で当該画素３６に照射される照射時間の合計をより均一に近づけることができる。照射時間演算工程（Ｓ１１０）以降の各工程の内容は実施の形態１と同様である。
【０１１８】
なお、分割ショットを複数のサブ分割ショットに分割した場合、増えた分だけ次の分割ショット（或いはサブ分割ショット）を行う前に、個別ブランキング機構のアンプ４６の電圧安定時間（セトリング時間）を待つ回数が増えることになるが、１画素あたりの最大照射時間Ｔｔｒ（例えば１０〜１００μs）に比べて大幅に小さいので描画時間の遅延は無視できる程度にできる。
【０１１９】
以上のように実施の形態２によれば、割り振られたビーム間で当該画素３６に照射される照射時間の合計をより均一に近づけることができる。よって、ビーム電流のばらつきの平均化をより進めることができる。
【０１２０】
実施の形態３．
実施の形態２では、２つのビームでビーム電流のばらつきの平均化を図った。しかし、使用した２つのビームを形成するアパーチャ径がいずれも大きく誤差が生じていた場合、平均化効果が小さい。よって、１つの画素３６に割り振られるビーム数は多い方が平均化の効果が高い。
【０１２１】
図１９は、実施の形態３における複数の分割ショットの途中でのビーム切り替えを説明するための図である。図１９（ａ）の例では、５×５のマルチビーム２０を用いて、試料にマルチビーム２０をショットする場合の一例を示している。例えば、注目グリッド２９の最上段左から１番目の画素３６をマルチビーム２０のうちのビームａが基準ビームとして担当する場合を示している。ビームａは、一度に照射可能な照射領域３４を照射する５×５のマルチビーム２０の上から２段目左から２列目のビームを示す。複数の分割ショットのうち、例えば、１〜７番目の分割ショットをビームａが担当して行った後、５×５のマルチビーム２０を偏向器２０９により１ビームピッチ分だけ図１９（ａ）が示す上方へ一括偏向によりビーム照射位置をシフトする。これにより、図１９（ｂ）に示すように、注目グリッド２９の最上段左から１番目の画素３６は、ビームａからビームｂに切り替わる。そして、複数の分割ショットのうち、８，９番目の分割ショットをビームｂが担当して行った後、５×５のマルチビーム２０を偏向器２０９により１ビームピッチ分だけ図１９（ｂ）が示す左側へ一括偏向によりビーム照射位置をシフトする。これにより、図１９（ｃ）に示すように、注目グリッド２９の最上段左から１番目の画素３６は、ビームｂからビームｃに切り替わる。そして、複数の分割ショットのうち、１０，１１番目の分割ショットをビームｃが担当して行った後、５×５のマルチビーム２０を偏向器２０９により１ビームピッチ分だけ図１９（ｃ）が示す下方へ一括偏向によりビーム照射位置をシフトする。これにより、図１９（ｄ）に示すように、注目グリッド２９の最上段左から１番目の画素３６は、ビームｃからビームｄに切り替わる。そして、残りの分割ショットをビームｄが担当する。これにより、注目グリッド２９の最上段左から１番目の画素３６は、ビームａ〜ｄの４つのビームによって多重露光されることになる。ビームａを成形する成形アパーチャアレイ部材２０３の穴２２（アパーチャ）の径が設計値に対して加工誤差が生じていた場合でも、ビームｂ，ｃ，ｄを重ねて照射することで、ビーム電流量の誤差の平均化をさらに進めることができる。その結果、当該画素へのドーズ量誤差を低減できる。例えば、ビームａ〜ｄの４つのビームで照射することで、ビームａだけで照射する場合に比べてかかる画素３６に照射されるビーム電流のばらつきの統計誤差を低減できる。例えば、４つのビーム間で照射時間が同じにできれば、ビーム電流のばらつきの統計誤差を１／４（１／２）倍に低減できる。
【０１２２】
図１９の例では、基準ビーム（ビームａ）、切り替えビーム（ビームｂ）、切り替えビーム（ビームｃ）、切り替えビーム（ビームｄ）の順で分割ショットを行う場合を説明したが、これに限るものではない。例えば、後述するように切り替えビーム（ビームｄ）、切り替えビーム（ビームｃ）、切り替えビーム（ビームｂ）、基準ビーム（ビームａ）、の順で分割ショットを行っても構わない。
【０１２３】
なお、図９の例では、５×５のマルチビーム２０を偏向器２０９により１ビームピッチ分だけ上方（ｙ方向）、左側（−ｘ方向）、下方（−ｙ方向）の順で一括偏向する場合を示したがこれに限るものではない。４つのビームが順に対応画素へと照射できればよい。また、ビームのシフト量も１ビームピッチ分に限るものではない。２ビームピッチ以上であってもよい。ビームのシフト量が偏向器２０９で偏向可能なビームピッチの整数倍であれば、いずれかのビームに切り替えることができる。
【０１２４】
図２０は、実施の形態３における複数の分割ショットとビームの割振りの一例を示す図である。実施の形態３では、複数の分割ショットの少なくとも１つの分割ショットが複数のサブ分割ショットに分割される。図２０（ａ）の例では、図１０（ａ）に示した複数の分割ショットのうち、最上位の５１２Δの照射時間をもつ分割ショットが４つのサブ分割ショットに分割され、上位２番目の２５６Δの照射時間をもつ分割ショットが２つのサブ分割ショットに分割される場合を示す。すなわち、図１８（ａ）の例では上位２番目の２５６Δの照射時間をもつ分割ショットと同じ２５６Δの照射時間をもつサブ分割ショットを残したが、図２０（ａ）の例では、上位１，２番目の照射時間をもつ分割ショットを上位３番目の１２８Δの照射時間をもつ分割ショットと同じ１２８Δの照射時間をもつ６つのサブ分割ショットに分割する。そして、４つのビームａ，ｂ，ｃ，ｄに振り分ける。その他は図１８（ａ）と同様である。
【０１２５】
なお、実施の形態３における描画装置１００の構成は図１と同様である。また、実施の形態３における描画方法の要部工程を示すフローチャートは図８或いは図１５と同様である。また、以下特に説明する点以外の内容は実施の形態１と同様である。
【０１２６】
基準ビーム特定工程（Ｓ１０２）の内容は実施の形態１と同様である。
【０１２７】
切り替えビーム特定工程（Ｓ１０４）として、特定部７４は、画素３６毎に、マルチビームの一括偏向により切り替え可能なビームを当該画素にビームを照射する切り替えビームとして特定する。図１９の例では、基準ビーム（ビームａ）に対して、３つの切り替えビーム（ビームｂ、ビームｃ、ビームｄ）を特定する。
【０１２８】
分割ショット割振り工程（Ｓ１０６）として、割振部７６は、マルチビーム２０の１つのビームあたりの試料１０１の画素３６（単位照射領域）毎に、１回のショットあたりの最大照射時間Ｔｔｒのショットが分割された、同じ画素３６に連続して行われる照射時間の異なる複数の分割ショットの各分割ショットをマルチビーム２０の一括偏向により切り替え可能な複数のビームの少なくとも１つに割り振る。実施の形態３において、割振部７６は、割り振られたビーム間で当該画素３６に照射される照射時間の合計ができるだけ均一に近づくように、複数の分割ショットの各分割ショットを複数のビームの少なくとも１つに割り振る。そのために、割振部７６は、複数のサブ分割ショットの各サブ分割ショットと、サブ分割ショットに分割されなかった残りの分割ショットとを複数のビームのいずれかに割り振る。特に、実施の形態３では、サブ分割ショットについては、より多くの複数のビームにそれぞれ割り振る。
【０１２９】
割振部７６は、各画素について、例えば、５１２Δの照射時間ｔｋをもつ分割ショットを分割した１２８Δの照射時間ｔｋをもつ４つのサブ分割ショットの１つ目を切り替えビーム（ビームｄ）に割り振る。１２８Δの照射時間ｔｋをもつ４つのサブ分割ショットの２つ目を切り替えビーム（ビームｃ）に割り振る。１２８Δの照射時間ｔｋをもつ４つのサブ分割ショットの３つ目を切り替えビーム（ビームｂ）に割り振る。１２８Δの照射時間ｔｋをもつ４つのサブ分割ショットの４つ目を切り替えビーム（ビームａ）に割り振る。２５６Δの照射時間ｔｋをもつ分割ショットを分割した１２８Δの照射時間ｔｋをもつ２つのサブ分割ショットの一方を切り替えビーム（ビームｄ）に割り振る。１２８Δの照射時間ｔｋをもつ２つのサブ分割ショットの他方を基準ビーム（ビームｃ）に割り振る。１２８Δの照射時間ｔｋをもつ分割ショットを切り替えビーム（ビームｂ）に割り振る。６４Δの照射時間ｔｋをもつ分割ショットと、３２Δの照射時間ｔｋをもつ分割ショットと、１６Δの照射時間ｔｋをもつ分割ショットと、８Δの照射時間ｔｋをもつ分割ショットと、４Δの照射時間ｔｋをもつ分割ショットと、２Δの照射時間ｔｋをもつ分割ショットと、Δの照射時間ｔｋをもつ分割ショットと、を基準ビーム（ビームａ）に割り振る。
【０１３０】
どの分割ショットを基準ビームに割り振り、どの分割ショットを切り替えビームに割り振るかは予め設定しておけばよい。ここでは、画素にそれぞれ特定された実際の基準ビームと実際の切り替えビームに複数の分割ショット及び複数のサブ分割ショットを割り振ればよい。
【０１３１】
ソート処理工程（Ｓ１０８）として、ソート処理部７８は、分割ショットの実施順をビーム単位でまとめるようにソート処理する。ビーム単位でまとめることで、ビームの切り替え動作を減らすことができ、描画時間を短縮できる。図２０（ｂ）の例では、切り替えビーム（ビームｄ）、切り替えビーム（ビームｃ）、切り替えビーム（ビームｂ）、基準ビーム（ビームａ）、の順で担当する分割ショットが続く。
【０１３２】
図２０（ｂ）の例では、同じビームが担当する複数の分割ショット内で、照射時間ｔｋが長い分割ショットが先に実施されるように示しているが、これに限るものではない。同じビームが担当する複数の分割ショット内で、照射時間ｔｋが短い分割ショットが先に実施されても良い。或いは、同じビームが担当する複数の分割ショット内で、照射時間ｔｋがランダムになる順序で分割ショットが実施されても良い。
【０１３３】
サブ分割ショットを用いることで、図２０（ｂ）に示すように、基準ビーム（ビームａ）の合計照射時間は２５５Δになり、切り替えビーム（ビームｂ）の合計照射時間は２５６Δになり、切り替えビーム（ビームｃ）の合計照射時間は２５６Δになり、切り替えビーム（ビームｄ）の合計照射時間は２５６Δとなる。よって、割り振られたビーム間で当該画素３６に照射される照射時間の合計をより均一に近づけることができる。照射時間演算工程（Ｓ１１０）以降の各工程の内容は実施の形態１と同様である。
【０１３４】
なお、判定工程（Ｓ１２４）において、判定部９２は、データ転送されたｋ番目の分割ショットのデータがｋ’番目のデータかどうかを判定する。図２９（ｂ）の例では、１，２番目の分割ショットを切り替えビーム（ビーム（ｄ））が実施し、３，４番目の分割ショットを切り替えビーム（ビーム（ｃ））が実施し、５，６番目の分割ショットを切り替えビーム（ビーム（ｂ））が実施し、７番目の分割ショット以降を基準ビーム（ビーム（ａ））が実施することになるので、ｋ’＝３，５，７が設定されることになる。ｋ番目の分割ショットのデータがｋ’番目のデータであれば、ビーム切り替え工程（Ｓ１２６）に進む。ｋ番目の分割ショットのデータがｋ’番目のデータでなければ、ｋ番目分割ショット工程（Ｓ１２８）に進む。
【０１３５】
照射時間が短い分割ショットから順に行う場合には、１〜８番目の分割ショットを基準ビーム（ビーム（ａ））が実施し、９，１０番目の分割ショット以降を切り替えビーム（ビーム（ｂ））が実施が実施し、１１，１２番目の分割ショット以降を切り替えビーム（ビーム（ｃ））が実施し、１３，１４番目の分割ショット以降を切り替えビーム（ビーム（ｄ））が実施することになるので、ｋ’＝９，１１，１３が設定されることになる。
【０１３６】
そして、ビーム切り替え工程（Ｓ１２６）において、ビームシフト処理部９４は、図１９（ａ）から図１９（ｄ）に示すように、マルチビーム２０全体を一括偏向して、各画素を照射するビームを基準ビームと３つの切り替えビームの間で順に切り替える。図２０（ｂ）の例では、切り替えビーム（ビームｄ）、切り替えビーム（ビームｃ）、切り替えビーム（ビームｂ）、基準ビーム（ビームａ）、の順に分割ショットが実施されるので、３番目の分割ショットのデータに沿って分割ショットを行う際に、切り替えビーム（ビーム（ｄ））から基準ビーム（ビーム（ｃ））に切り替える。同様に、５番目の分割ショットのデータに沿って分割ショットを行う際に、切り替えビーム（ビーム（ｃ））から基準ビーム（ビーム（ｂ））に切り替える。同様に、７番目の分割ショットのデータに沿って分割ショットを行う際に、切り替えビーム（ビーム（ｂ））から基準ビーム（ビーム（ａ））に切り替える。
【０１３７】
なお、実施の形態３では、ビーム切り替え回数が３回と多くなった分、次の分割ショットを行う前にＤＡＣアンプ１３２の出力が静定するまで次の分割ショットを待つ回数が多くなる。しかし、上述したように、ビームピッチが例えば１６０μｍ等と小さい場合、ＤＡＣアンプ１３２の静定時間（セトリング時間）は１００ｎｓ以下で済む。一方、１画素あたりの最大照射時間Ｔｔｒは１０〜１００μsと桁違いに長いので、ビーム切り替えに伴う描画時間の遅延は無視できる程度にできる。また、サブ分割ショットの数も増えるが、同様に、描画時間の遅延は無視できる程度にできる。
【０１３８】
以上のように実施の形態３によれば、より多くのビームによりビーム電流のばらつきの平均化ができる。さらに、ビーム間の照射時間を同程度にすることで、ビーム間で平均化効果での重みを同じにできる。さらに、上位１番目の長い照射時間をもつ分割ショットと上位２番目の長い照射時間をもつ分割ショットとのどちらかがビームＯＦＦになった場合でも、４つのビームで画素を照射できる。
【０１３９】
以上のように各実施の形態でのマルチビーム描画装置は、複数ビームと、ビーム毎独立なＯＮ／ＯＦＦ制御と、ビームに共通な偏向制御を用いて描画を行う。かかる描画方式により、試料１０１面上に例えばビームサイズと同じ画素を定義して、画素３６毎に必要な照射量を与えることができる。また、ビームサイズよりも細かいパターンの寸法と位置の制御を実現するには、グレービーム描画方式を用いればよい。これはパターン端に重なる画素の照射量を、レジストの解像に最適な値よりも同じか少ない照射量で制御してパターン端の位置を制御する方法である。ＶＳＢ描画装置では、露光に最適なドーズに対応する露光時間を用いるのに対し、グレービーム描画方式では、（１）パターン内部ではＶＳＢ描画装置と同じ露光時間を用いる一方、（２）パターン端に重なる画素では、画素内のパターン占有率に応じてほぼゼロの露光時間から最適露光時間までの広い露光時間制御が行われる。
【０１４０】
また、各実施の形態でのマルチビーム描画装置は、上述したように、ビーム毎の露光時間を独立にＮビットで制御する。ブランキング制御回路それぞれにｎビットのカウンタを配置するとなるとブランキングアパーチャの製作が困難である。しかし、各実施の形態でのマルチビーム描画装置は、図７において説明したようにｎビットの共通カウンタによる露光時間制御とビーム毎のＯＮ／ＯＦＦ制御を組みあわせて、露光時間が異なる複数回の露光工程を行い、露光時間の和ｎビットでビーム毎独立に制御できる。
【０１４１】
図２１は、各実施の形態の比較例における露光シーケンスの一例を示す図である。マルチビーム用アパーチャでは、アパーチャ径の大きさが例えば１〜２μｍと非常に小さいためアパーチャの面積とビーム毎のビーム電流を均一にすることは困難である。対策として、ビーム毎の電流を正確に測定して露光時間で補正を掛ける方法が考えられるが、ビームの数が多い、照明電流の変化があるなどの理由で常に正確な電流量を把握して補正することは困難である。
【０１４２】
かかる場合、同一画素を複数のビームで露光することでビーム電流量の誤差を平均化することができる。図２１（ａ）では、分割ショットの回数ｎがｎ＝６の場合に、ある画素をビームａでのみ露光する場合を示している。図２１（ｂ）では、ある画素をビームａとビームｂで露光する場合の二通りの制御方法を示す。図２１（ｂ）では、露光時間の制御単位としてｔ’＝ｔ／２を用いて、ビームａでのｎ回の露光と、ビームｂでのｎ回の露光を行っている場合を示す。図２１（ｂ）の方法では、２つのビームで同一画素を露光することにより、ビーム電流のばらつきの統計誤差を１／√２に低減することができる。一方で１画素を露光するのに必要なデータ量は２倍の２ｎビットになる。従って、データ転送速度を２倍にするか、描画時間を長く設定してデータ転送完了の待ち時間を確保するなどの対応が必要になる。また露光時間制御のカウンタの動作周波数を２倍にする必要がある。
【０１４３】
また、図２１（ｂ）ではｎ回の露光すべてを、２つのビームで実施している。ｎ回の各回の露光で、ビーム電流のばらつきが、画素を露光するドーズに寄与する割合は各回の露光時間に比例する。従って、ビーム毎のビーム電流のばらつきを低減させる意味では、露光時間が３２Δｔ，１６Δｔ，８Δｔの工程で複数ビームを用いることは効果が大きいが、露光時間が４Δｔ，２Δｔ，Δｔの露光工程で複数ビームを用いることは効果が小さい。
【０１４４】
そのため、上述したように、各実施の形態では、１画素を複数回露光して露光時間の総和としてｎビットの露光時間制御を行う描画方法において、複数回の露光時間を２つ以上のビームを切り替えて行う。特に、複数回の露光のうち、露光時間の長いものを２つ以上のビームを切り替えて行う。
【０１４５】
図２２は、各実施の形態を比較した露光シーケンスの一例を示す図である。図２２の例では、縦軸にビーム電流を示し、横軸に時間を示す。また、図２２の例では、分割ショットの数をｎ＝６とした場合について示している。実施の形態１に対応する図２２（ａ）の例では、露光時間が３２Δｔと８Δｔである２回の露光時間をビームｂで、それ以外の４回の露光をビームａで実施している場合を示す。実施の形態２に対応する図２２（ｂ）の例では、露光時間が３２Δｔの露光時間を１６Δｔの２つのサブ露光時間に分割し、１６Δｔの露光時間を８Δｔの２つのサブ露光時間に分割した場合を示している。そして、１６Δｔの２つのサブ露光時間の一方をビームａで実施し、１６Δｔの２つのサブ露光時間の他方をビームｂで実施し、８Δｔの露光時間をビームｂで、それ以外の４回の露光をビームａで実施している場合を示す。実施の形態３に対応する図２２（ｃ）の例では、露光時間が３２Δｔの露光時間を８Δｔの４つのサブ露光時間に分割し、１６Δｔの露光時間を８Δｔの２つのサブ露光時間に分割した場合を示している。そして、３２Δｔを分割した８Δｔの４つのサブ露光時間をビームａ〜ｄでそれぞれ１回ずつ実施し、１６Δｔを分割した８Δｔの２つのサブ露光時間をビームｃ，ｄでそれぞれ１回ずつ実施し、８Δｔの露光時間をビームｂで、それ以外の４回の露光をビームａで実施している場合を示す。ｎ＝６の場合、画素の総露光時間Ｔは０，Δｔ，２Δｔ，・・・，６３Δｔのいずれかである。総露光時間に応じて、図２２（ａ）の例では６回のビームのＯＮ／ＯＦＦが切り替えられる。図２２（ｂ）の例では８回のビームのＯＮ／ＯＦＦが切り替えられる。図２２（ｃ）の例では１０回のビームのＯＮ／ＯＦＦが切り替えられる。図２２（ａ）より図２２（ｂ）の方がよりビーム電流のばらつきの平均化における各ビームの影響の偏りが小さいことがわかる。そして、図２２（ｂ）より図２２（ｃ）の方がよりビーム電流のばらつきの平均化の効果が大きいことがわかる。次に、サブ露光時間を用いない場合での切り替えビーム数の効果について説明する。
【０１４６】
図２３は、実施の形態１における２つのビーム切り替えにより描画した場合の各ビーム露光時間を比較した一例を示す図である。露光時間に応じて複数回の露光でのビームのＯＮ／ＯＦＦは変わり、同時にビームａの露光時間の和とビームｂの露光時間の和も変わる。ビーム電流の誤差を平均化する観点では、ビームａの露光時間とビームｂの露光時間がほぼ同じであることが望ましいが、図２３の例では５０％以上の開きがある場合が多い。図２３の例は、ビーム電流の誤差の低減方法として最適ではないが、一定の効果はある。図２３において、Ｔ＝７Δｔの場合はビームｂの露光時間は０であり、ビーム電流の誤差の平均化効果はなくなるが、総露光時間自体が小さいので描画精度への影響は小さい。一方Ｔ＝４０Δｔの場合は長い露光時間をビームｂでのみ露光することになり、描画精度への影響が大きく好ましくない。
【０１４７】
図２４は、実施の形態１の変形例において３つのビーム切り替えにより描画した場合の各ビーム露光時間を比較した一例を示す図である。図２４の例では、ビームａ，ｂ，ｃの３のビームで１つの画素を露光する。ビーム数を２つから３つにすれば、総露光時間が４０Δｔの場合でもビームａ，ｃでの２つのビームで露光を行いビーム電流の平均化効果を図２３で示した例より高めることができる。
【０１４８】
以上、具体例を参照しつつ実施の形態について説明した。しかし、本発明は、これらの具体例に限定されるものではない。上述した例では、各画素に対して複数の分割ショットを１回ずつ行う場合を示したが、これに限るものではない。さらに、ｍパスの多重描画をおこなっても良い。例えば、ｍパスの多重描画の各パスの複数の分割ショットの合計照射時間が互いに同程度であり、１パス分の複数の分割ショットを担当するｐ個のビームの照射時間がビーム間で同程度である場合には、１つのビームだけで１回分の複数の分割ショットを行う場合に比べてかかる画素３６に照射されるビーム電流のばらつきの統計誤差を１／（ｍ・ｐ）（１／２）倍に低減できる。
【０１４９】
また、装置構成や制御手法等、本発明の説明に直接必要しない部分等については記載を省略したが、必要とされる装置構成や制御手法を適宜選択して用いることができる。例えば、描画装置１００を制御する制御部構成については、記載を省略したが、必要とされる制御部構成を適宜選択して用いることは言うまでもない。
【０１５０】
その他、本発明の要素を具備し、当業者が適宜設計変更しうる全てのマルチ荷電粒子ビーム描画装置及び方法は、本発明の範囲に包含される。
【符号の説明】
【０１５１】
２０  マルチビーム
２２  穴
２４，２６  電極
２５  通過孔
２８，３６  画素
２９  グリッド
３０  描画領域
３２  ストライプ領域
３４  照射領域
４０  シフトレジスタ
４１  ロジック回路
４２  レジスタ
４４  ＡＮＤ演算器
４６  アンプ
４７  個別ブランキング機構
５０  レジスタ
５２  カウンタ
６０  ρ演算部
６２  Ｄｐ演算部
６４  ρ’演算部
６６  Ｄ演算部
６８  ｔ演算部
７０  配列加工部
７２，７４  特定部
７６  割振部
７８  ソート処理部
８２  転送処理部
８４  描画制御部
８６  Ｎ算出部
８８  決定部
９０  データ生成部
９２  判定部
９４  ビームシフト処理部
９６  判定部
９８  加算部
１００  描画装置
１０１  試料
１０２  電子鏡筒
１０３  描画室
１０５  ＸＹステージ
１１０  制御計算機
１１２  メモリ
１３０  偏向制御回路
１３１  ロジック回路
１３２，１３４  ＤＡＣアンプユニット
１３８  ステージ制御部
１３９  ステージ位置測定部
１４０，１４２  記憶装置
１５０  描画部
１６０  制御部
２００  電子ビーム
２０１  電子銃
２０２  照明レンズ
２０３  成形アパーチャアレイ部材
２０４  ブランキングアパーチャアレイ部
２０５  縮小レンズ
２０６  制限アパーチャ部材
２０７  対物レンズ
２０８，２０９  偏向器
２１０  ミラー
２１２  偏向器
【図１】
0006616986.tif 000004
【図２】
0006616986.tif 000005
【図３】
0006616986.tif 000006
【図４】
0006616986.tif 000007
【図５】
0006616986.tif 000008
【図６】
0006616986.tif 000009
【図７】
0006616986.tif 000010
【図８】
0006616986.tif 000011
【図９】
0006616986.tif 000012
【図１０】
0006616986.tif 000013
【図１１】
0006616986.tif 000014
【図１２】
0006616986.tif 000015
【図１３】
0006616986.tif 000016
【図１４】
0006616986.tif 000017
【図１５】
0006616986.tif 000018
【図１６】
0006616986.tif 000019
【図１７】
0006616986.tif 000020
【図１８】
0006616986.tif 000021
【図１９】
0006616986.tif 000022
【図２０】
0006616986.tif 000023
【図２１】
0006616986.tif 000024
【図２２】
0006616986.tif 000025
【図２３】
0006616986.tif 000026
【図２４】
0006616986.tif 000027